(57)【要約】  アミノ酸という観点から、個体に生じ得る生体に関する問題（例えば疾患など）の改善に推奨される食物を選択することができる食物選択方法、食物選択装置、食物選択プログラム、食物選択システムおよび情報通信端末を提供することを課題とする。本発明では、（ｉ）個体の生体状態に関する生体状態情報に基づいて、個体が所定の状態であるかが判別され、（ｉｉ）個体が所定の状態であると判別された場合には、所定の状態の改善に推奨されるアミノ酸に基づいて、複数の食物についての、食物中のアミノ酸の含有値に関するアミノ酸含有データを含む食物リストから、食物が選択される。
2013085047.tif 000002
【特許請求の範囲】
【請求項１】
個体の生体状態に関する生体状態情報に基づいて、前記個体が所定の状態であるかを判別する判別ステップと、
前記判別ステップで前記個体が前記所定の状態であると判別された場合には、前記所定の状態の改善に推奨されるアミノ酸に基づいて、複数の食物についての、前記食物中の前記アミノ酸の含有値に関するアミノ酸含有データを含む食物リストから、前記食物を選択する選択ステップと
を含むこと、
を特徴とする食物選択方法。
【請求項２】
前記生体状態情報には、前記個体の血液中の前記アミノ酸の濃度値に関するアミノ酸濃度データが含まれ、
前記アミノ酸濃度データに基づいて、前記濃度値が基準値に対して低下している前記アミノ酸を特定する特定ステップをさらに含み、
前記選択ステップは、前記判別ステップで得られた結果と前記特定ステップで得られた結果に基づいて、１つまたは複数の前記食物を前記食物リストから選択すること、
を特徴とする請求項１に記載の食物選択方法。
【請求項３】
前記特定ステップは、前記濃度値が前記基準値に対して低下している必須アミノ酸を特定すること、
を特徴とする請求項２に記載の食物選択方法。
【請求項４】
前記特定ステップで特定された前記アミノ酸に対して、前記濃度値の前記基準値からの低下度合いに応じた重み付け値を設定する第一設定ステップと、
前記第一設定ステップで設定された前記重み付け値を、前記アミノ酸含有データに含まれる、前記特定ステップで特定された前記アミノ酸の前記含有値に乗算する第一乗算ステップと、
前記第一乗算ステップで前記重み付け値が乗算された後の前記アミノ酸含有データに含まれる前記アミノ酸の前記含有値の総和を、各々の前記食物の前記アミノ酸含有データ毎に算出する第一加算ステップと、
をさらに含み、
前記選択ステップは、前記特定ステップで前記低下している前記アミノ酸が特定された場合には、前記第一加算ステップで算出された前記総和に基づいて、１つまたは複数の前記食物を前記食物リストから選択すること、
を特徴とする請求項２または３に記載の食物選択方法。
【請求項５】
必須アミノ酸に適用される第一の係数と、非必須アミノ酸に適用される、前記第一の係数とは異なる第二の係数が、予め設定されており、
前記第一乗算ステップは、前記特定ステップで前記必須アミノ酸が特定された場合には、特定された前記必須アミノ酸に対して設定した前記重み付け値または前記特定ステップで特定された前記アミノ酸の前記含有値に前記第一の係数を乗算し、前記特定ステップで前記非必須アミノ酸が特定された場合には、特定された前記非必須アミノ酸に対して設定した前記重み付け値または前記特定ステップで特定された前記アミノ酸の前記含有値に前記第二の係数を乗算すること、
を特徴とする請求項４に記載の食物選択方法。
【請求項６】
分岐鎖アミノ酸に適用される第三の係数と、必須アミノ酸に該当するが前記分岐鎖アミノ酸に該当しない前記アミノ酸に個別に適用される、互いに異なり且つ前記第三の係数とも異なる複数の第四の係数が、予め設定されており、
前記第一乗算ステップは、前記特定ステップで前記分岐鎖アミノ酸が特定された場合には、特定された前記分岐鎖アミノ酸に対して設定した前記重み付け値または前記特定ステップで特定された前記アミノ酸の前記含有値に前記第三の係数を乗算し、前記特定ステップで前記必須アミノ酸に該当するが前記分岐鎖アミノ酸に該当しない前記アミノ酸が特定された場合には、特定された前記アミノ酸に対して設定した前記重み付け値または前記特定ステップで特定された前記アミノ酸の前記含有値に、特定された前記アミノ酸に適用される前記第四の係数を乗算すること、
を特徴とする請求項４に記載の食物選択方法。
【請求項７】
非必須アミノ酸に適用される、前記第三の係数および前記第四の係数とは異なる第五の係数が予め設定されており、
前記第一乗算ステップは、前記特定ステップで前記非必須アミノ酸が特定された場合には、前記非必須アミノ酸に対して設定した前記重み付け値または前記特定ステップで特定された前記アミノ酸の前記含有値に前記第五の係数を乗算すること、
を特徴とする請求項６に記載の食物選択方法。
【請求項８】
前記生体状態情報には、前記個体の性別および／または年齢が含まれ、
前記基準値は、前記性別および／または前記年齢が考慮されたものであること、
を特徴とする請求項２から７のいずれか一つに記載の食物選択方法。
【請求項９】
前記所定の状態は、メタボリックシンドローム関連の状態であること、
を特徴とする請求項１から８のいずれか一つに記載の食物選択方法。
【請求項１０】
前記判別ステップは、前記個体についての前記所定の状態の度合いを判別し、
前記所定の状態の改善に推奨される前記アミノ酸に対して、前記判別ステップで判別された前記度合いに応じた重み付け値を設定する第二設定ステップと、
前記第二設定ステップで設定された前記重み付け値を、前記アミノ酸含有データに含まれる、前記所定の状態の改善に推奨される前記アミノ酸の前記含有値に乗算する第二乗算ステップと、
前記第二乗算ステップで前記重み付け値が乗算された後の前記アミノ酸含有データに含まれる前記アミノ酸の前記含有値の総和を、各々の前記食物の前記アミノ酸含有データ毎に算出する第二加算ステップと、
をさらに含み、
前記選択ステップは、前記第二加算ステップで算出された前記総和に基づいて、または、前記特定ステップで前記低下している前記アミノ酸が特定された場合には、前記第一加算ステップで算出された前記総和および前記第二加算ステップで算出された前記総和に基づいて、１つまたは複数の前記食物を前記食物リストから選択すること、
を特徴とする請求項１から９のいずれか一つに記載の食物選択方法。
【請求項１１】
前記所定の状態は、メタボリックシンドローム関連の状態であり、
前記所定の状態の改善に推奨される前記アミノ酸には、Ｖａｌ、Ｌｅｕ、Ｉｌｅ、ＴｈｒおよびＬｙｓが含まれること、
を特徴とする請求項１から１０のいずれか一つに記載の食物選択方法。
【請求項１２】
前記食物リストには、複数の前記食物についての、前記食物の分類に関する分類データが含まれ、
前記選択ステップは、各々の前記分類毎に、前記食物リストから前記食物を選択すること、
を特徴とする請求項１から１１のいずれか一つに記載の食物選択方法。
【請求項１３】
前記生体状態情報には、前記個体の血液中の前記アミノ酸の濃度値に関するアミノ酸濃度データが含まれ、
前記判別ステップは、前記アミノ酸濃度データに含まれている前記所定の状態の判別に有用な前記アミノ酸の前記濃度値に基づいて、前記個体が前記所定の状態であるかを判別する、または、前記アミノ酸濃度データおよび前記所定の状態の判別に有用な前記アミノ酸を変数として含む判別式に基づいて当該判別式の値を算出し、算出した当該値に基づいて前記個体が前記所定の状態であるかを判別すること、
を特徴とする請求項１から１２のいずれか一つに記載の食物選択方法。
【請求項１４】
制御部を備えた食物選択装置であって、
前記制御部は、
個体の生体状態に関する生体状態情報に基づいて、前記個体が所定の状態であるかを判別する判別手段と、
前記判別手段で前記個体が前記所定の状態であると判別された場合には、前記所定の状態の改善に推奨されるアミノ酸に基づいて、複数の食物についての、前記食物中の前記アミノ酸の含有値に関するアミノ酸含有データを含む食物リストから、前記食物を選択する選択手段と
を備えたこと、
を特徴とする食物選択装置。
【請求項１５】
制御部を備えた情報処理装置で実行される食物選択方法であって、
前記制御部で実行される、
個体の生体状態に関する生体状態情報に基づいて、前記個体が所定の状態であるかを判別する判別ステップと、
前記判別ステップで前記個体が前記所定の状態であると判別された場合には、前記所定の状態の改善に推奨されるアミノ酸に基づいて、複数の食物についての、前記食物中の前記アミノ酸の含有値に関するアミノ酸含有データを含む食物リストから、前記食物を選択する選択ステップと
を含むこと、
を特徴とする食物選択方法。
【請求項１６】
制御部を備えた情報処理装置に実行させるための食物選択プログラムであって、
前記制御部に実行させるための、
個体の生体状態に関する生体状態情報に基づいて、前記個体が所定の状態であるかを判別する判別ステップと、
前記判別ステップで前記個体が前記所定の状態であると判別された場合には、前記所定の状態の改善に推奨されるアミノ酸に基づいて、複数の食物についての、前記食物中の前記アミノ酸の含有値に関するアミノ酸含有データを含む食物リストから、前記食物を選択する選択ステップと
を含むこと、
を特徴とする食物選択プログラム。
【請求項１７】
制御部を備えた食物選択装置と、制御部を備えた情報通信端末とを、ネットワークを介して通信可能に接続して構成された食物選択システムであって、
前記情報通信端末の前記制御部は、
個体の生体状態に関する生体状態情報を前記食物選択装置へ送信する生体状態情報送信手段と、
前記食物選択装置から送信された、食物の選択結果を受信する選択結果受信手段と
を備え、
前記食物選択装置の前記制御部は、
前記情報通信端末から送信された前記生体状態情報を受信する生体状態情報受信手段と、
前記生体状態情報受信手段で受信された前記生体状態情報に基づいて、前記個体が所定の状態であるかを判別する判別手段と、
前記判別手段で前記個体が前記所定の状態であると判別された場合には、前記所定の状態の改善に推奨されるアミノ酸に基づいて、複数の前記食物についての、前記食物中の前記アミノ酸の含有値に関するアミノ酸含有データを含む食物リストから、前記食物を選択する選択手段と、
前記選択手段で得られた前記食物の前記選択結果を前記情報通信端末へ送信する選択結果送信手段と、
を備えたこと、
を特徴とする食物選択システム。
【請求項１８】
食物選択装置とネットワークを介して通信可能に接続された、制御部を備えた情報通信端末であって、
前記制御部は、
個体の生体状態に関する生体状態情報を前記食物選択装置へ送信する生体状態情報送信手段と、
前記食物選択装置から送信された、食物の選択結果を受信する選択結果受信手段と
を備え、
前記選択結果は、前記食物選択装置が、前記情報通信端末から送信された前記生体状態情報を受信し、受信された前記生体状態情報に基づいて、前記個体が所定の状態であるかを判別し、前記個体が前記所定の状態であると判別された場合に、前記所定の状態の改善に推奨されるアミノ酸に基づいて、複数の前記食物についての、前記食物中の前記アミノ酸の含有値に関するアミノ酸含有データを含む食物リストから選択した前記食物に関するものであること、
を特徴とする情報通信端末。
【請求項１９】
個体の生体状態に関する生体状態情報を提供する情報通信端末とネットワークを介して通信可能に接続された、制御部を備えた食物選択装置であって、
前記制御部は、
前記情報通信端末から送信された前記生体状態情報を受信する生体状態情報受信手段と、
前記生体状態情報受信手段で受信された前記生体状態情報に基づいて、前記個体が所定の状態であるかを判別する判別手段と、
前記判別手段で前記個体が前記所定の状態であると判別された場合には、前記所定の状態の改善に推奨されるアミノ酸に基づいて、複数の食物についての、前記食物中の前記アミノ酸の含有値に関するアミノ酸含有データを含む食物リストから、前記食物を選択する選択手段と、
前記選択手段で得られた前記食物の選択結果を前記情報通信端末へ送信する選択結果送信手段と、
を備えたこと、
を特徴とする食物選択装置。
【発明の詳細な説明】
【技術分野】
【０００１】
本発明は、食物選択方法、食物選択装置、食物選択プログラム、食物選択システムおよび情報通信端末に関するものである。
【背景技術】
【０００２】
特許文献１には、肥満度、栄養素充足度、食品群充足度を除いた評価項目のうちで、最少得点の項目としてアミノ酸スコアを改善するために制限アミノ酸のない食事メニューを抽出することが開示されている（例えば特許文献１の段落００４９等参照）。特許文献２には、血液中のアミノ酸量を算出すること、食材別にアミノ酸量を関連付けるアミノ酸コントロールデータテーブルを備えること、および、アミノ酸をコントロールする食事を提供することができること、が開示されている（例えば特許文献２の段落００８１から００８４等参照）。【０００３】
なお、特許文献１および特許文献２の他には、例えば特許文献３から特許文献５が先行技術文献として挙げられる。特許文献３には、病院用献立作成システムが開示されている。特許文献４には、栄養補助食品または疾患予防食品の提供システムが開示されている。特許文献５には、栄養及び／又は薬剤を決定するための方法が開示されている。【０００４】
また、アミノ酸の濃度値を用いた状態判別方法については、例えば特許文献６から特許文献１２が挙げられる。特許文献６、特許文献７および特許文献８には、アミノ酸の濃度値と生体状態とを関連付ける方法が開示されている。特許文献９には、アミノ酸の濃度値を用いてメタボリックシンドロームの状態を評価する方法が開示されている。特許文献１０には、アミノ酸の濃度値を用いて内臓脂肪の状態を評価する方法が開示されている。特許文献１１には、アミノ酸の濃度値を用いて耐糖能異常の状態を評価する方法が開示されている。特許文献１２には、アミノ酸の濃度値を用いて肥満の状態を評価する方法が開示されている。
【先行技術文献】
【特許文献】
【０００５】
【特許文献１】特開２００６−４８１７７号公報
【特許文献２】特開２００８−２０４４１８号公報
【特許文献３】特開平８−６３４５５号公報
【特許文献４】特開２００３−２２３５１５号公報
【特許文献５】特表２００５−５１３６７８号公報
【特許文献６】国際公開第２００４／０５２１９１号
【特許文献７】国際公開第２００６／０９８１９２号
【特許文献８】国際公開第２００９／０５４３５１号
【特許文献９】国際公開第２００８／０１５９２９号
【特許文献１０】国際公開第２００９／００１８６２号
【特許文献１１】国際公開第２００９／０５４３５０号
【特許文献１２】国際公開第２０１０／０９５６８２号
【発明の概要】
【発明が解決しようとする課題】
【０００６】
しかしながら、従来技術では、アミノ酸という観点から、個体に生じ得る生体に関する問題（例えば疾患など）の改善に推奨される食物を選択することはできない、という問題点があった。【０００７】
本発明は、上記問題点に鑑みてなされたもので、アミノ酸という観点から、個体に生じ得る生体に関する問題（例えば疾患など）の改善に推奨される食物を選択することができる食物選択方法、食物選択装置、食物選択プログラム、食物選択システムおよび情報通信端末を提供することを目的とする。
【課題を解決するための手段】
【０００８】
すなわち、上述した課題を解決し、目的を達成するために、本発明にかかる食物選択方法は、個体の生体状態に関する生体状態情報に基づいて、前記個体が所定の状態であるかを判別する判別ステップと、前記判別ステップで前記個体が前記所定の状態であると判別された場合には、前記所定の状態の改善に推奨されるアミノ酸に基づいて、複数の食物（例えば食材や、料理、献立（メニュー、食事）など）についての、前記食物中の前記アミノ酸の含有値に関するアミノ酸含有データを含む食物リストから、前記食物を選択する選択ステップとを含むこと、を特徴とする。【０００９】
また、本発明にかかる食物選択方法は、前記の食物選択方法において、前記生体状態情報には、前記個体の血液中の前記アミノ酸の濃度値に関するアミノ酸濃度データが含まれ、前記アミノ酸濃度データに基づいて、前記濃度値が基準値に対して低下している前記アミノ酸を特定する特定ステップをさらに含み、前記選択ステップは、前記判別ステップで得られた結果と前記特定ステップで得られた結果に基づいて、１つまたは複数の前記食物を前記食物リストから選択すること、を特徴とする。【００１０】
また、本発明にかかる食物選択方法は、前記の食物選択方法において、前記特定ステップは、前記濃度値が前記基準値に対して低下している必須アミノ酸を特定すること、を特徴とする。【００１１】
また、本発明にかかる食物選択方法は、前記の食物選択方法において、前記特定ステップで特定された前記アミノ酸に対して、前記濃度値の前記基準値からの低下度合いに応じた重み付け値を設定する第一設定ステップと、前記第一設定ステップで設定された前記重み付け値を、前記アミノ酸含有データに含まれる、前記特定ステップで特定された前記アミノ酸の前記含有値に乗算する第一乗算ステップと、前記第一乗算ステップで前記重み付け値が乗算された後の前記アミノ酸含有データに含まれる前記アミノ酸の前記含有値の総和を、各々の前記食物の前記アミノ酸含有データ毎に算出する第一加算ステップと、をさらに含み、前記選択ステップは、前記特定ステップで前記低下している前記アミノ酸が特定された場合には、前記第一加算ステップで算出された前記総和に基づいて、１つまたは複数の前記食物を前記食物リストから選択すること、を特徴とする。【００１２】
また、本発明にかかる食物選択方法は、前記の食物選択方法において、必須アミノ酸に適用される第一の係数と、非必須アミノ酸に適用される、前記第一の係数とは異なる第二の係数が、予め設定されており、前記第一乗算ステップは、前記特定ステップで前記必須アミノ酸が特定された場合には、特定された前記必須アミノ酸に対して設定した前記重み付け値または前記特定ステップで特定された前記アミノ酸の前記含有値に前記第一の係数を乗算し、前記特定ステップで前記非必須アミノ酸が特定された場合には、特定された前記非必須アミノ酸に対して設定した前記重み付け値または前記特定ステップで特定された前記アミノ酸の前記含有値に前記第二の係数を乗算すること、を特徴とする。【００１３】
また、本発明にかかる食物選択方法は、前記の食物選択方法において、分岐鎖アミノ酸に適用される第三の係数と、必須アミノ酸に該当するが前記分岐鎖アミノ酸に該当しない前記アミノ酸に個別に適用される、互いに異なり且つ前記第三の係数とも異なる複数の第四の係数が、予め設定されており、前記第一乗算ステップは、前記特定ステップで前記分岐鎖アミノ酸が特定された場合には、特定された前記分岐鎖アミノ酸に対して設定した前記重み付け値または前記特定ステップで特定された前記アミノ酸の前記含有値に前記第三の係数を乗算し、前記特定ステップで前記必須アミノ酸に該当するが前記分岐鎖アミノ酸に該当しない前記アミノ酸が特定された場合には、特定された前記アミノ酸に対して設定した前記重み付け値または前記特定ステップで特定された前記アミノ酸の前記含有値に、特定された前記アミノ酸に適用される前記第四の係数を乗算すること、を特徴とする。【００１４】
また、本発明にかかる食物選択方法は、前記の食物選択方法において、非必須アミノ酸に適用される、前記第三の係数および前記第四の係数とは異なる第五の係数が予め設定されており、前記第一乗算ステップは、前記特定ステップで前記非必須アミノ酸が特定された場合には、前記非必須アミノ酸に対して設定した前記重み付け値または前記特定ステップで特定された前記アミノ酸の前記含有値に前記第五の係数を乗算すること、を特徴とする。【００１５】
また、本発明にかかる食物選択方法は、前記の食物選択方法において、前記生体状態情報には、前記個体の性別および／または年齢が含まれ、前記基準値は、前記性別および／または前記年齢が考慮されたものであること、を特徴とする。【００１６】
また、本発明にかかる食物選択方法は、前記の食物選択方法において、前記所定の状態は、メタボリックシンドローム関連の状態であること、を特徴とする。【００１７】
また、本発明にかかる食物選択方法は、前記の食物選択方法において、前記判別ステップは、前記個体についての前記所定の状態の度合いを判別し、前記所定の状態の改善に推奨される前記アミノ酸に対して、前記判別ステップで判別された前記度合いに応じた重み付け値を設定する第二設定ステップと、前記第二設定ステップで設定された前記重み付け値を、前記アミノ酸含有データに含まれる、前記所定の状態の改善に推奨される前記アミノ酸の前記含有値に乗算する第二乗算ステップと、前記第二乗算ステップで前記重み付け値が乗算された後の前記アミノ酸含有データに含まれる前記アミノ酸の前記含有値の総和を、各々の前記食物の前記アミノ酸含有データ毎に算出する第二加算ステップと、をさらに含み、前記選択ステップは、前記第二加算ステップで算出された前記総和に基づいて、または、前記特定ステップで前記低下している前記アミノ酸が特定された場合には、前記第一加算ステップで算出された前記総和および前記第二加算ステップで算出された前記総和に基づいて、１つまたは複数の前記食物を前記食物リストから選択すること、を特徴とする。【００１８】
また、本発明にかかる食物選択方法は、前記の食物選択方法において、前記所定の状態は、メタボリックシンドローム関連の状態であり、前記所定の状態の改善に推奨される前記アミノ酸には、Ｖａｌ、Ｌｅｕ、Ｉｌｅ、ＴｈｒおよびＬｙｓが含まれること、を特徴とする。【００１９】
また、本発明にかかる食物選択方法は、前記の食物選択方法において、前記食物リストには、複数の前記食物についての、前記食物の分類に関する分類データが含まれ、前記選択ステップは、各々の前記分類毎に、前記食物リストから前記食物を選択すること、を特徴とする。【００２０】
また、本発明にかかる食物選択方法は、前記の食物選択方法において、前記生体状態情報には、前記個体の血液中の前記アミノ酸の濃度値に関するアミノ酸濃度データが含まれ、前記判別ステップは、前記アミノ酸濃度データに含まれている前記所定の状態の判別に有用な前記アミノ酸の前記濃度値に基づいて、前記個体が前記所定の状態であるかを判別する、または、前記アミノ酸濃度データおよび前記所定の状態の判別に有用な前記アミノ酸を変数として含む判別式に基づいて当該判別式の値を算出し、算出した当該値に基づいて前記個体が前記所定の状態であるかを判別すること、を特徴とする。【００２１】
また、本発明にかかる食物選択装置は、制御部を備えた食物選択装置であって、前記制御部は、個体の生体状態に関する生体状態情報に基づいて、前記個体が所定の状態であるかを判別する判別手段と、前記判別手段で前記個体が前記所定の状態であると判別された場合には、前記所定の状態の改善に推奨されるアミノ酸に基づいて、複数の食物についての、前記食物中の前記アミノ酸の含有値に関するアミノ酸含有データを含む食物リストから、前記食物を選択する選択手段とを備えたこと、を特徴とする。【００２２】
また、本発明にかかる食物選択方法は、制御部を備えた情報処理装置で実行される食物選択方法であって、前記制御部で実行される、個体の生体状態に関する生体状態情報に基づいて、前記個体が所定の状態であるかを判別する判別ステップと、前記判別ステップで前記個体が前記所定の状態であると判別された場合には、前記所定の状態の改善に推奨されるアミノ酸に基づいて、複数の食物についての、前記食物中の前記アミノ酸の含有値に関するアミノ酸含有データを含む食物リストから、前記食物を選択する選択ステップとを含むこと、を特徴とする。【００２３】
また、本発明にかかる食物選択プログラムは、制御部を備えた情報処理装置に実行させるための食物選択プログラムであって、前記制御部に実行させるための、個体の生体状態に関する生体状態情報に基づいて、前記個体が所定の状態であるかを判別する判別ステップと、前記判別ステップで前記個体が前記所定の状態であると判別された場合には、前記所定の状態の改善に推奨されるアミノ酸に基づいて、複数の食物についての、前記食物中の前記アミノ酸の含有値に関するアミノ酸含有データを含む食物リストから、前記食物を選択する選択ステップとを含むこと、を特徴とする。【００２４】
また、本発明にかかる記録媒体は、一時的でないコンピュータ読み取り可能な記録媒体であって、情報処理装置に前記の食物選択方法を実行させるためのプログラム化された命令を含むこと、を特徴とする。【００２５】
また、本発明にかかる食物選択システムは、制御部を備えた食物選択装置と、制御部を備えた情報通信端末とを、ネットワークを介して通信可能に接続して構成された食物選択システムであって、前記情報通信端末の前記制御部は、個体の生体状態に関する生体状態情報を前記食物選択装置へ送信する生体状態情報送信手段と、前記食物選択装置から送信された、食物の選択結果を受信する選択結果受信手段とを備え、前記食物選択装置の前記制御部は、前記情報通信端末から送信された前記生体状態情報を受信する生体状態情報受信手段と、前記生体状態情報受信手段で受信された前記生体状態情報に基づいて、前記個体が所定の状態であるかを判別する判別手段と、前記判別手段で前記個体が前記所定の状態であると判別された場合には、前記所定の状態の改善に推奨されるアミノ酸に基づいて、複数の前記食物についての、前記食物中の前記アミノ酸の含有値に関するアミノ酸含有データを含む食物リストから、前記食物を選択する選択手段と、前記選択手段で得られた前記食物の前記選択結果を前記情報通信端末へ送信する選択結果送信手段と、を備えたこと、を特徴とする。【００２６】
また、本発明にかかる情報通信端末は、食物選択装置とネットワークを介して通信可能に接続された、制御部を備えた情報通信端末であって、前記制御部は、個体の生体状態に関する生体状態情報を前記食物選択装置へ送信する生体状態情報送信手段と、前記食物選択装置から送信された、食物の選択結果を受信する選択結果受信手段とを備え、前記選択結果は、前記食物選択装置が、前記情報通信端末から送信された前記生体状態情報を受信し、受信された前記生体状態情報に基づいて、前記個体が所定の状態であるかを判別し、前記個体が前記所定の状態であると判別された場合に、前記所定の状態の改善に推奨されるアミノ酸に基づいて、複数の前記食物についての、前記食物中の前記アミノ酸の含有値に関するアミノ酸含有データを含む食物リストから選択した前記食物に関するものであること、を特徴とする。【００２７】
また、本発明にかかる食物選択装置は、個体の生体状態に関する生体状態情報を提供する情報通信端末とネットワークを介して通信可能に接続された、制御部を備えた食物選択装置であって、前記制御部は、前記情報通信端末から送信された前記生体状態情報を受信する生体状態情報受信手段と、前記生体状態情報受信手段で受信された前記生体状態情報に基づいて、前記個体が所定の状態であるかを判別する判別手段と、前記判別手段で前記個体が前記所定の状態であると判別された場合には、前記所定の状態の改善に推奨されるアミノ酸に基づいて、複数の食物についての、前記食物中の前記アミノ酸の含有値に関するアミノ酸含有データを含む食物リストから、前記食物を選択する選択手段と、前記選択手段で得られた前記食物の選択結果を前記情報通信端末へ送信する選択結果送信手段と、を備えたこと、を特徴とする。
【発明の効果】
【００２８】
本発明によれば、個体の生体状態に関する生体状態情報に基づいて、個体が所定の状態であるかを判別し、個体が所定の状態であると判別された場合には、所定の状態の改善に推奨されるアミノ酸に基づいて、複数の食物についての、食物中のアミノ酸の含有値に関するアミノ酸含有データを含む食物リストから、食物を選択する。これにより、アミノ酸という観点から、個体に生じ得る生体に関する問題（例えば疾患など）の改善に推奨される食物を選択することができるという効果を奏する。【００２９】
本発明によれば、生体状態情報には、個体の血液中のアミノ酸の濃度値に関するアミノ酸濃度データが含まれ、アミノ酸濃度データに基づいて、濃度値が基準値に対して低下しているアミノ酸を特定し、判別結果と特定結果に基づいて、１つまたは複数の食物を食物リストから選択する。これにより、低下しているアミノ酸の改善に推奨される食物を効率よく選択することができるという効果を奏する。【００３０】
本発明によれば、濃度値が基準値に対して低下している必須アミノ酸を特定する。これにより、低下している必須アミノ酸の改善に推奨される食物を効率よく選択することができるという効果を奏する。【００３１】
本発明によれば、特定されたアミノ酸に対して、濃度値の基準値からの低下度合いに応じた重み付け値を設定し、設定された重み付け値を、アミノ酸含有データに含まれる、特定されたアミノ酸の含有値に乗算し、重み付け値が乗算された後のアミノ酸含有データに含まれるアミノ酸の含有値の総和（第一の総和）を、各々の食物のアミノ酸含有データ毎に算出し、低下しているアミノ酸が特定された場合には、算出された総和に基づいて（例えば総和の降順に）、１つまたは複数の食物を食物リストから選択する。これにより、低下しているアミノ酸の改善に推奨される、低下の度合いに応じた食物を効率よく選択することができるという効果を奏する。【００３２】
本発明によれば、必須アミノ酸に適用される第一の係数と、非必須アミノ酸に適用される、第一の係数とは異なる第二の係数が、予め設定されており、必須アミノ酸が特定された場合には、特定された必須アミノ酸に対して設定した重み付け値または特定されたアミノ酸の含有値に第一の係数を乗算し、非必須アミノ酸が特定された場合には、特定された非必須アミノ酸に対して設定した重み付け値または特定されたアミノ酸の含有値に第二の係数を乗算する。これにより、低下している必須アミノ酸および／または非必須アミノ酸の改善に推奨される、低下の度合いに応じた食物を、必須アミノ酸と非必須アミノ酸との特性の違いを考慮して効率よく選択することができるという効果を奏する。【００３３】
本発明によれば、分岐鎖アミノ酸に適用される第三の係数と、必須アミノ酸に該当するが分岐鎖アミノ酸に該当しないアミノ酸に個別に適用される、互いに異なり且つ第三の係数とも異なる複数の第四の係数が、予め設定されており、分岐鎖アミノ酸が特定された場合には、特定された分岐鎖アミノ酸に対して設定した重み付け値または特定されたアミノ酸の含有値に第三の係数を乗算し、必須アミノ酸に該当するが分岐鎖アミノ酸に該当しないアミノ酸が特定された場合には、特定されたアミノ酸に対して設定した重み付け値または特定されたアミノ酸の含有値に、特定されたアミノ酸に適用される第四の係数を乗算する。これにより、低下している必須アミノ酸（分岐鎖アミノ酸を含む）の改善に推奨される、低下の度合いに応じた食物を、分岐鎖アミノ酸と当該分岐鎖アミノ酸を除く各必須アミノ酸との特性の違いを考慮して効率よく選択することができるという効果を奏する。【００３４】
本発明によれば、非必須アミノ酸に適用される、第三の係数および第四の係数とは異なる第五の係数が予め設定されており、非必須アミノ酸が特定された場合には、非必須アミノ酸に対して設定した重み付け値または特定されたアミノ酸の含有値に第五の係数を乗算する。これにより、低下している非必須アミノ酸の改善に推奨される、低下の度合いに応じた食物を、分岐鎖アミノ酸と当該分岐鎖アミノ酸を除く各必須アミノ酸と非必須アミノ酸との特性の違いを考慮して効率よく選択することができるという効果を奏する。【００３５】
本発明によれば、生体状態情報には、個体の性別および／または年齢が含まれ、基準値は、性別および／または年齢が考慮されたものである。これにより、低下しているアミノ酸の改善に推奨される、低下の度合いと、性別および／または年齢とに応じた食物を効率よく選択することができるという効果を奏する。【００３６】
本発明によれば、所定の状態は、メタボリックシンドローム関連の状態である。これにより、メタボリックシンドローム関連の改善に推奨される食物を選択することができるという効果を奏する。【００３７】
本発明によれば、個体についての所定の状態の度合いを判別し、所定の状態の改善に推奨されるアミノ酸に対して、判別された度合いに応じた重み付け値を設定し、設定された重み付け値を、アミノ酸含有データに含まれる、所定の状態の改善に推奨されるアミノ酸の含有値に乗算し、重み付け値が乗算された後のアミノ酸含有データに含まれるアミノ酸の含有値の総和（第二の総和）を、各々の食物のアミノ酸含有データ毎に算出し、算出された第二の総和に基づいて（例えば総和の降順に）、または、低下しているアミノ酸が特定された場合には、算出された第一の総和および第二の総和に基づいて（例えば総和の降順に）、１つまたは複数の食物を食物リストから選択する。これにより、生体に関する問題の改善に推奨される、生体に関する問題の度合いに応じた食物を効率よく選択することができるという効果を奏する。【００３８】
本発明によれば、所定の状態は、メタボリックシンドローム関連の状態であり、所定の状態の改善に推奨されるアミノ酸には、Ｖａｌ、Ｌｅｕ、Ｉｌｅ、ＴｈｒおよびＬｙｓが含まれる。これにより、メタボリックシンドローム関連の改善に推奨される、メタボリックシンドローム関連の度合いに応じた食物を効率よく選択することができるという効果を奏する。【００３９】
本発明によれば、食物リストには、複数の食物についての、食物の分類に関する分類データが含まれ、各々の分類毎に、食物リストから食物を選択する。これにより、生体に関する問題の改善に推奨される食物を、分類毎に効率よく選択することができるという効果を奏する。【００４０】
本発明によれば、生体状態情報には、個体の血液中のアミノ酸の濃度値に関するアミノ酸濃度データが含まれ、アミノ酸濃度データに含まれている所定の状態の判別に有用なアミノ酸の濃度値に基づいて、個体が所定の状態であるかを判別する、または、アミノ酸濃度データおよび所定の状態の判別に有用なアミノ酸を変数として含む判別式に基づいて当該判別式の値を算出し、算出した当該値に基づいて個体が所定の状態であるかを判別する。これにより、生体に関する問題についての、精度の高い判別結果を得ることができるという効果を奏する。
【図面の簡単な説明】
【００４１】
【図１】図１は、第１実施形態の概要を示す図である。
【図２】図２は、第１実施形態の具体例を示すフローチャートである。
【図３】図３は、第２実施形態の概要を示す図である。
【図４】図４は、第２実施形態の構成の一例を示す図である。
【図５】図５は、生体状態情報ファイル１０６ａに格納される情報の一例を示す図である。
【図６】図６は、判別基準情報ファイル１０６ｂに格納される情報の一例を示す図である。
【図７】図７は、食材リストファイル１０６ｃに格納される情報の一例を示す図である。
【図８】図８は、献立リストファイル１０６ｄに格納される情報の一例を示す図である。
【図９】図９は、結果ファイル１０６ｅに格納される情報の一例を示す図である。
【図１０】図１０は、第２実施形態の具体例を示すフローチャートである。
【発明を実施するための形態】
【００４２】
以下に、本発明にかかる食物選択方法の実施形態（第１実施形態）と、本発明にかかる食物選択装置、食物選択方法、食物選択プログラム、食物選択システムおよび情報通信端末の実施形態（第２実施形態）を、図面に基づいて詳細に説明する。なお、本実施形態により本発明が限定されるものではない。特に、以下の実施形態は、本発明を、食物の一例である食材に適用した場合のものであるが、本発明は、食物の他の一例である料理や献立（メニュー、食事）などにも、同様に適用可能である。
【００４３】
［第１実施形態］
第１実施形態にかかる食材選択方法（本発明にかかる食物選択方法に相当）を、図１および図２を参照して詳細に説明する。
【００４４】
［１．概要］
図１は、第１実施形態の概要を示す図である。まず、例えば動物またはヒトなどの個体の生体状態に関する生体状態情報に基づいて、個体が所定の状態であるかを判別する（ステップＳ１１）。
【００４５】
そして、ステップＳ１１で個体が所定の状態であると判別された場合には、所定の状態の改善に推奨される、少なくともアミノ酸に基づいて（を考慮して）、複数の食材についての、食材中のアミノ酸の含有値（例えば含有量または含有率など）に関するアミノ酸含有データを含む食材リストから、食材を選択する（ステップＳ１２）。
【００４６】
なお、生体状態情報には、例えば、個体の血液中のアミノ酸の濃度値に関するアミノ酸濃度データが含まれてもよい。アミノ酸濃度データは、例えば、アミノ酸濃度値測定を行う企業等が測定したものでもよく、また、個体から採取した血液から例えば以下の（Ａ）または（Ｂ）などの測定方法で測定したものでもよい。アミノ酸の濃度値の単位は、例えば、モル濃度、重量濃度またはこれらの濃度に任意の定数を加減乗除することで得られたものでもよい。
（Ａ）採取した血液サンプルを遠心することにより血液から血漿を分離する。全ての血漿サンプルは、アミノ酸濃度値の測定時まで−８０℃で凍結保存する。アミノ酸濃度値測定時には、アセトニトリルを添加し除蛋白処理を行った後、標識試薬（３−アミノピリジル−Ｎ−ヒドロキシスクシンイミジルカルバメート）を用いてプレカラム誘導体化を行い、そして、液体クロマトグラフ質量分析計（ＬＣ−ＭＳ）によりアミノ酸濃度値を分析する（国際公開第２００３／０６９３２８号、国際公開第２００５／１１６６２９号を参照）。
（Ｂ）採取した血液サンプルを遠心することにより血液から血漿を分離する。全ての血漿サンプルは、アミノ酸濃度値の測定時まで−８０℃で凍結保存する。アミノ酸濃度値測定時には、スルホサリチル酸を添加し除蛋白処理を行った後、ニンヒドリン試薬を用いたポストカラム誘導体化法を原理としたアミノ酸分析計によりアミノ酸濃度値を分析する。
【００４７】
また、生体状態情報には、例えば、年齢、性別、身長、体重、ウエスト、当該身長・体重から得られるＢＭＩ（Ｂｏｄｙ  Ｍａｓｓ  Ｉｎｄｅｘ）値、インピーダンス法で測定された値（例えばインピーダンス値または当該インピーダンス値から推定された体脂肪率など）、またはＣＴ・ＭＲＩなどで撮像した画像から得られた値（例えば腹部の断面積など）などのデータが含まれてもよい。生体状態情報から、例えば、欠損値または外れ値などのデータを除去してもよい。
【００４８】
また、所定の状態は、例えば、メタボリックシンドローム、内臓脂肪蓄積、肥満症、高脂血症、高血圧、インスリン抵抗性、糖尿病、耐糖能異常、脂肪肝（例えばアルコール性脂肪肝、非アルコール性脂肪肝または非アルコール性脂肪肝炎など）、高尿酸血症、冠動脈性心疾患、脳卒中、うつ、認知症、アルツハイマー、癌、栄養失調、摂食障害（例えば拒食症または過食症など）または栄養素の摂取・代謝・吸収を妨げる疾患（例えば吸収不良疾患、炎症性腸疾患または肝臓疾患など）などの状態でもよく、また必要なカロリー量が増大する状態（例えば、外傷（例えば火傷など）、手術、甲状腺機能亢進症、感染症、腎臓疾患、高熱、激しい運動（例えばリハビリテーションまたは運動競技のトレーニングなど）、妊娠または授乳など）でもよい。
所定の状態がメタボリックシンドローム、内臓脂肪蓄積、肥満症、高脂血症、高血圧、糖尿病、耐糖能異常、脂肪肝（例えばアルコール性脂肪肝、非アルコール性脂肪肝または非アルコール性脂肪肝炎など）の状態（メタボリックシンドローム関連の状態）である場合には、所定の状態の改善に推奨されるアミノ酸は、例えば、ケト原性アミノ酸ＫＡＡ（分岐鎖アミノ酸ＢＣＡＡ（Ｖａｌ、ＬｅｕおよびＩｌｅ）、ＴｈｒおよびＬｙｓ）などでもよい（例えば、本出願人による国際出願である国際公開第２００７／０４９８１８号を参照）。
所定の状態がインスリン抵抗性、糖尿病または耐糖能異常の状態である場合には、所定の状態の改善に推奨されるアミノ酸は、例えば、分岐鎖アミノ酸ＢＣＡＡ（Ｖａｌ、ＬｅｕおよびＩｌｅ）またはＩｌｅなどでもよい（例えば、「Ｂｒａｎｃｈｅｄ−ｃｈａｉｎ  ａｍｉｎｏ  ａｃｉｄｓ  ｉｍｐｒｏｖｅ  ｇｌｕｃｏｓｅ  ｍｅｔａｂｏｌｉｓｍ  ｉｎ  ｒａｔｓ  ｗｉｔｈ  ｌｉｖｅｒ  ｃｉｒｒｈｏｓｉｓ．」（Ａｍ  Ｊ  Ｐｈｙｓｉｏｌ  Ｇａｓｔｒｏｉｎｔｅｓｔ  Ｌｉｖｅｒ  Ｐｈｙｓｉｏｌ．，２００５  Ｊｕｎ，２８８（６）：Ｇ１２９２−３００，Ｅｐｕｂ  ２００４  Ｄｅｃ  ９．）、「Ｉｓｏｌｅｕｃｉｎｅ，  ａ  ｐｏｔｅｎｔ  ｐｌａｓｍａ  ｇｌｕｃｏｓｅ−ｌｏｗｅｒｉｎｇ  ａｍｉｎｏ  ａｃｉｄ，  ｓｔｉｍｕｌａｔｅｓ  ｇｌｕｃｏｓｅ  ｕｐｔａｋｅ  ｉｎ  Ｃ２Ｃ１２  ｍｙｏｔｕｂｅｓ．」（Ｂｉｏｃｈｅｍ  Ｂｉｏｐｈｙｓ  Ｒｅｓ  Ｃｏｍｍｕｎ．，２００３  Ｄｅｃ  ２６，３１２（４）：１１１１−７．）、「Ｉｓｏｌｅｕｃｉｎｅ，  ａ  ｂｌｏｏｄ  ｇｌｕｃｏｓｅ−ｌｏｗｅｒｉｎｇ  ａｍｉｎｏ  ａｃｉｄ，  ｉｎｃｒｅａｓｅｓ  ｇｌｕｃｏｓｅ  ｕｐｔａｋｅ  ｉｎ  ｒａｔ  ｓｋｅｌｅｔａｌ  ｍｕｓｃｌｅ  ｉｎ  ｔｈｅ  ａｂｓｅｎｃｅ  ｏｆ  ｉｎｃｒｅａｓｅｓ  ｉｎ  ＡＭＰ−ａｃｔｉｖａｔｅｄ  ｐｒｏｔｅｉｎ  ｋｉｎａｓｅ  ａｃｔｉｖｉｔｙ．」（Ｊ  Ｎｕｔｒ．，２００５  Ｓｅｐ，１３５（９）：２１０３−８．）、および「Ｈｙｐｏｇｌｙｃｅｍｉｃ  ｅｆｆｅｃｔ  ｏｆ  ｉｓｏｌｅｕｃｉｎｅ  ｉｎｖｏｌｖｅｓ  ｉｎｃｒｅａｓｅｄ  ｍｕｓｃｌｅ  ｇｌｕｃｏｓｅ  ｕｐｔａｋｅ  ａｎｄ  ｗｈｏｌｅ  ｂｏｄｙ  ｇｌｕｃｏｓｅ  ｏｘｉｄａｔｉｏｎ  ａｎｄ  ｄｅｃｒｅａｓｅｄ  ｈｅｐａｔｉｃ  ｇｌｕｃｏｎｅｏｇｅｎｅｓｉｓ．」（Ａｍ  Ｊ  Ｐｈｙｓｉｏｌ  Ｅｎｄｏｃｒｉｎｏｌ  Ｍｅｔａｂ．，２００７  Ｊｕｎ，２９２（６）：Ｅ１６８３−９３．，Ｅｐｕｂ  ２００７  Ｆｅｂ  １３．）を参照）。
また、所定の状態は、例えば、何らかのアミノ酸の濃度値が基準値に対して低下または増加している状態でもよい。所定の状態が何らかのアミノ酸の濃度値が基準値に対して低下している状態である場合には、所定の状態の改善に推奨されるアミノ酸は、例えば、当該濃度値が基準値に対して低下しているアミノ酸などでもよい。基準値として、例えば、健常人における各種アミノ酸の平均濃度値を設定してもよく、また、当該平均濃度値に対して健常人における各種アミノ酸の最大濃度値、最小濃度値および濃度値の標準偏差（ＳＤ：ｓｔａｎｄａｒｄ  ｄｅｖｉａｔｉｏｎ）などのうち少なくとも一つが考慮された当該平均濃度値を含む数値範囲（例えば平均濃度値±ｘＳＤ（ｘは正の実数（具体的には１，２，３などの自然数））など）を設定してもよい。基準値として、既に公表されているものを設定してもよく、また、アミノ酸の濃度値についてデータ収集して新たに（独自に）算出したものを設定してもよい。
なお、所定の状態であるかを判別するとは、メタボリックシンドロームを例に挙げると、個体を、メタボリックシンドロームおよび非メタボリックシンドロームの２群のうちのどちらかに分類することでもよく、また、個体を、メタボリックシンドロームである可能性の程度を少なくとも考慮して定義された複数の区分（例えば、メタボリックシンドロームである可能性が高い区分（例えばランクＣなど）、中程度の区分（例えばランクＢなど）、低い区分（例えばランクＡなど）など）のいずれかに分類することでもよい。
【００４９】
また、ステップＳ１１では、例えば、（ｉ）アミノ酸濃度データに含まれている所定の状態の判別に有用なアミノ酸の濃度値に基づいて、個体が所定の状態であるかを判別してもよく、また、（ｉｉ）アミノ酸濃度データおよび所定の状態の判別に有用なアミノ酸を変数として含む判別式に基づいて当該判別式の値を算出し、算出した当該値に基づいて個体が所定の状態であるかを判別してもよい。この判別は、例えば、本出願人による国際出願である国際公開第２００４／０５２１９１号、国際公開第２００６／０９８１９２号、国際公開第２００９／０５４３５１号、国際公開第２００８／０１５９２９号、国際公開第２００９／００１８６２号、国際公開第２００９／０５４３５０号または国際公開第２０１０／０９５６８２号に開示されている方法を用いて行ってもよい。
【００５０】
また、例えば、所定の状態がメタボリックシンドロームの状態であり、且つ、生体状態情報に、年齢、性別、身長・体重もしくは当該身長・体重から得られるＢＭＩ値、ウエスト、インピーダンス法で測定された値、および／またはＣＴ・ＭＲＩなどで撮像した画像から得られた値が含まれている場合には、ステップＳ１１では、年齢、性別、身長・体重、ＢＭＩ値、ウエスト、インピーダンス法で測定された値および／または画像から得られた値に基づいて、個体がメタボリックシンドロームであるかを判別してもよい。
【００５１】
また、生体状態情報にアミノ酸濃度データが含まれている場合には、（ｉ）アミノ酸濃度データに基づいて、濃度値が基準値に対して低下しているアミノ酸を特定し、（ｉｉ）特定された一部または全てのアミノ酸に対して、濃度値の基準値からの低下度合いに応じた重み付け値を設定し、（ｉｉｉ）設定された重み付け値を、アミノ酸含有データに含まれている、特定された一部または全てのアミノ酸の含有値に乗算し、（ｉｖ）重み付け値が乗算された後のアミノ酸含有データに含まれているアミノ酸の含有値の総和を、各々の食材のアミノ酸含有データ毎に算出してもよい。そして、ステップＳ１２では、低下しているアミノ酸が特定された場合には、少なくとも、算出された総和（総和Ａ）に基づいて（例えば総和Ａの降順に）、１つまたは複数の食材を食材リストから選択してもよい。
【００５２】
なお、濃度値が基準値に対して低下している必須アミノ酸を特定してもよい。また、生体状態情報に個体の性別および／または年齢が含まれている場合には、基準値は、当該性別および／または年齢が考慮されたものでもよい。ここで、必須アミノ酸には、イソロイシン（Ｉｌｅ）、ロイシン（Ｌｅｕ）、バリン（Ｖａｌ）、リジン（Ｌｙｓ）、メチオニン（Ｍｅｔ）、フェニルアラニン（Ｐｈｅ）、スレオニン（Ｔｈｒ）、トリプトファン（Ｔｒｐ）、ヒスチジン（Ｈｉｓ）が含まれる。また、非必須アミノ酸には、アラニン（Ａｌａ）、アルギニン（Ａｒｇ）、アスパラギン（Ａｓｎ）、アスパラギン酸（Ａｓｐ）、システイン（Ｃｙｓ）、グルタミン酸（Ｇｌｕ）、グルタミン（Ｇｌｎ）、グリシン（Ｇｌｙ）、プロリン（Ｐｒｏ）、セリン（Ｓｅｒ）、チロシン（Ｔｙｒ）が含まれる。なお、準必須アミノ酸であるアルギニン（Ａｒｇ）や、準必須アミノ酸と扱われることもあるシステイン（Ｃｙｓ）、チロシン（Ｔｙｒ）を、それぞれ必須アミノ酸に含めてもよい。
【００５３】
また、必須アミノ酸に（共通して）適用される第一の係数と、非必須アミノ酸に（共通して）適用される、第一の係数とは異なる第二の係数を、予め設定してもよく、濃度値が基準値に対して低下している必須アミノ酸が特定された場合には、特定された一部または全ての必須アミノ酸に対して設定した重み付け値または特定された一部または全ての必須アミノ酸の含有値に第一の係数を乗算してもよく、濃度値が基準値に対して低下している非必須アミノ酸が特定された場合には、特定された一部または全ての非必須アミノ酸に対して設定した重み付け値または特定された一部または全ての非必須アミノ酸の含有値に第二の係数を乗算してもよい。
【００５４】
また、分岐鎖アミノ酸に（共通して）適用される第三の係数と、必須アミノ酸に該当するが分岐鎖アミノ酸に該当しないアミノ酸に個別に適用される、互いに異なり且つ第三の係数とも異なる複数の第四の係数を、予め設定してもよく、分岐鎖アミノ酸が特定された場合には、特定された一部または全ての分岐鎖アミノ酸に対して設定した重み付け値または特定された一部または全ての分岐鎖アミノ酸の含有値に第三の係数を乗算してもよく、必須アミノ酸に該当するが分岐鎖アミノ酸に該当しないアミノ酸が特定された場合には、特定された一部または全てのアミノ酸に対して設定した重み付け値または特定された一部または全てのアミノ酸の含有値に、特定されたアミノ酸に適用される第四の係数を乗算してもよい。また、非必須アミノ酸に（共通して）適用される、第三の係数および第四の係数とは異なる第五の係数を予め設定してもよく、非必須アミノ酸が特定された場合には、一部または全ての非必須アミノ酸に対して設定した重み付け値または特定された一部または全ての非必須アミノ酸の含有値に第五の係数を乗算してもよい。
【００５５】
また、必須アミノ酸に該当するアミノ酸に個別に適用される、互いに異なる複数の係数を設定してもよく、また、非必須アミノ酸に該当するアミノ酸に個別に適用される、互いに異なる複数の係数を設定してもよい。また、上述した係数は、それぞれ、アミノ酸の消化吸収率および／またはアミノ酸の代謝率などが考慮されたものでもよい。また、消化吸収率および代謝率は、個体の生態状態（例えば年齢または性別など）などに応じて変えてもよい。
【００５６】
また、ステップＳ１１では、個体についての所定の状態の度合いを判別してもよい。所定の状態の度合いを判別するとは、メタボリックシンドロームを例に挙げると、メタボリックシンドロームの進行度合いを示した値を算出することでもよく、また、個体を、メタボリックシンドロームの進行度合いを少なくとも考慮して定義された複数の区分（進行度合いが高い区分（例えばランクＣなど）、中程度である区分（例えばランクＢなど）、低い区分（例えばランクＡなど）など）のいずれかに分類することでもよい。そして、この場合には、（ｉ）所定の状態の改善に推奨される一部または全てのアミノ酸に対して、ステップＳ１１で判別された度合いに応じた重み付け値を設定し、（ｉｉ）設定された重み付け値を、アミノ酸含有データに含まれている、所定の状態の改善に推奨される一部または全てのアミノ酸の含有値に乗算し、（ｉｉｉ）重み付け値が乗算された後のアミノ酸含有データに含まれているアミノ酸の含有値の総和を、各々の食材のアミノ酸含有データ毎に算出してもよい。そして、ステップＳ１２では、少なくとも、算出された総和（総和Ｂ）に基づいて（例えば総和Ｂの降順に）、１つまたは複数の食材を食材リストから選択してもよい。なお、重み付け値と含有値を乗算する際、所定の状態の改善に推奨されるアミノ酸に適した係数（例えば、上述した５つの係数から、当該アミノ酸の種類を考慮して選ばれたもの）をさらに乗算してもよい。また、ステップＳ１２では、低下しているアミノ酸が特定された場合には、少なくとも総和Ａおよび総和Ｂに基づいて、食材を選択してもよい。
【００５７】
また、食材リストには、複数の食材についての、食材の分類（例えば、穀類、豆類、野菜類、魚介類または肉類など）に関する分類データが含まれてもよい。そして、この場合には、ステップＳ１２では、各々の分類毎に、食材リストから食材を選択してもよい。例えば、各々の分類毎に、算出された総和の降順に、１つまたは複数の食材を食材リストから選択してもよい。
【００５８】
また、食材リストに含まれている食材と関連付けられた複数の献立データを含む献立リストから、ステップＳ１２で選択された食材が用いられている献立を検索してもよい。なお、基本的には選択された食材に基づいて食事（献立）を調整するが、結晶状態のアミノ酸を混ぜて食事を調整してもよい。
【００５９】
また、ステップＳ１２では、例えば、所定の状態の改善に推奨されるアミノ酸および所定の状態の改善に推奨される必須脂肪酸（好ましくはオメガ３系脂肪酸、より好ましくはＤＨＡ（ｄｏｃｏｓａｈｅｘａｅｎｏｉｃ  ａｃｉｄ）またはＥＰＡ（ｅｉｃｏｓａｐｅｎｔａｅｎｏｉｃ  ａｃｉｄ））に基づいて（換言すると、アミノ酸だけでなく必須脂肪酸も考慮して）、食材リストから食材を選択してもよい。なお、所定の状態がメタボリックシンドローム、内臓脂肪蓄積、耐糖能異常、冠動脈性心疾患、脳卒中、うつまたはアルツハイマーの状態である場合には、所定の状態の改善に推奨される必須脂肪酸は、例えば、ＤＨＡまたはＥＰＡなどでもよい（例えば、「ｎ−３  ｆａｔｔｙ  ａｃｉｄｓ  ａｎｄ  ｔｈｅ  ｍｅｔａｂｏｌｉｃ  ｓｙｎｄｒｏｍｅ」（Ａｍ  Ｊ  Ｃｌｉｎ  Ｎｕｔｒ．，２００６  Ｊｕｎ，８３（６  Ｓｕｐｐｌ）：１４９９Ｓ−１５０４Ｓ．）、「Ｒｏｌｅ  ｏｆ  ω３  Ｌｏｎｇｃｈａｉｎ  ｐｏｌｙｕｎｓａｔｕｒａｔｅｄ  ｆａｔｔｙ  ａｃｉｄｓ  ｉｎ  ｒｅｄｕｃｉｎｇ  ｃａｒｄｉｏ−ｍｅｔａｂｏｌｉｃ  ｒｉｓｋ  ｆａｃｔｏｒｓ．」（Ｅｎｄｏｃｒ  Ｍｅｔａｂ  Ｉｍｍｕｎｅ  Ｄｉｓｏｒｄ  Ｄｒｕｇ  Ｔａｒｇｅｔｓ．，２０１１  Ｓｅｐ  １，１１（３）：２３２−４６．）、「Ｆｉｓｈ  ａｎｄ  ｏｍｅｇａ−３  ｆａｔｔｙ  ａｃｉｄ  ｉｎｔａｋｅ  ａｎｄ  ｒｉｓｋ  ｏｆ  ｃｏｒｏｎａｒｙ  ｈｅａｒｔ  ｄｉｓｅａｓｅ  ｉｎ  ｗｏｍｅｎ．」（ＪＡＭＡ．，２００２  Ａｐｒ  １０，２８７（１４）：１８１５−２１．）、「Ｆｉｓｈ  ａｎｄ  ｌｏｎｇ−ｃｈａｉｎ  ｏｍｅｇａ−３  ｆａｔｔｙ  ａｃｉｄ  ｉｎｔａｋｅ  ａｎｄ  ｒｉｓｋ  ｏｆ  ｃｏｒｏｎａｒｙ  ｈｅａｒｔ  ｄｉｓｅａｓｅ  ａｎｄ  ｔｏｔａｌ  ｍｏｒｔａｌｉｔｙ  ｉｎ  ｄｉａｂｅｔｉｃ  ｗｏｍｅｎ．」（Ｃｉｒｃｕｌａｔｉｏｎ．，２００３  Ａｐｒ  １５，１０７（１４）：１８５２−７．，Ｅｐｕｂ  ２００３  Ｍａｒ  ３１．）、「Ｉｎｔａｋｅ  ｏｆ  ｆｉｓｈ  ａｎｄ  ｏｍｅｇａ−３  ｆａｔｔｙ  ａｃｉｄｓ  ａｎｄ  ｒｉｓｋ  ｏｆ  ｓｔｒｏｋｅ  ｉｎ  ｗｏｍｅｎ．」（ＪＡＭＡ．，２００１  Ｊａｎ  １７，２８５（３）：３０４−１２．）、「Ｏｍｅｇａ−３  ｆａｔｔｙ  ａｃｉｄｓ  ａｎｄ  ｍａｊｏｒ  ｄｅｐｒｅｓｓｉｏｎ：  ａ  ｐｒｉｍｅｒ  ｆｏｒ  ｔｈｅ  ｍｅｎｔａｌ  ｈｅａｌｔｈ  ｐｒｏｆｅｓｓｉｏｎａｌ．」（Ｌｉｐｉｄｓ  Ｈｅａｌｔｈ  Ｄｉｓ．，２００４  Ｎｏｖ  ９，３：２５．）、「Ｏｍｅｇａ−３  ｆａｔｔｙ  ａｃｉｄｓ  ｉｎ  ｔｈｅ  ｔｒｅａｔｍｅｎｔ  ｏｆ  ｐｓｙｃｈｉａｔｒｉｃ  ｄｉｓｏｒｄｅｒｓ．」（Ｄｒｕｇｓ．，２００５，６５（８）：１０５１−９．）、「Ａ  ｍｅｔａ−ａｎａｌｙｔｉｃ  ｒｅｖｉｅｗ  ｏｆ  ｄｏｕｂｌｅ−ｂｌｉｎｄ，  ｐｌａｃｅｂｏ−ｃｏｎｔｒｏｌｌｅｄ  ｔｒｉａｌｓ  ｏｆ  ａｎｔｉｄｅｐｒｅｓｓａｎｔ  ｅｆｆｉｃａｃｙ  ｏｆ  ｏｍｅｇａ−３  ｆａｔｔｙ  ａｃｉｄｓ．」（Ｊ  Ｃｌｉｎ  Ｐｓｙｃｈｉａｔｒｙ．，２００７  Ｊｕｌ，６８（７）：１０５６−６１．）、「Ｎｅｕｒｏｐｒｏｔｅｃｔｉｖｅ  ａｃｔｉｏｎ  ｏｆ  ｏｍｅｇａ−３  ｐｏｌｙｕｎｓａｔｕｒａｔｅｄ  ｆａｔｔｙ  ａｃｉｄｓ  ａｇａ��ｎｓｔ  ｎｅｕｒｏｄｅｇｅｎｅｒａｔｉｖｅ  ｄｉｓｅａｓｅｓ：  ｅｖｉｄｅｎｃｅ  ｆｒｏｍ  ａｎｉｍａｌ  ｓｔｕｄｉｅｓ．」（Ｐｒｏｓｔａｇｌａｎｄｉｎｓ  Ｌｅｕｋｏｔ  Ｅｓｓｅｎｔ  Ｆａｔｔｙ  Ａｃｉｄｓ．，２００７  Ｎｏｖ−Ｄｅｃ，７７（５−６）：２８７−９３．，Ｅｐｕｂ  ２００７  Ｎｏｖ  ２６．）、「Ｏｍｅｇａ−３  ｆａｔｔｙ  ａｃｉｄｓ  ａｎｄ  ｄｅｍｅｎｔｉａ．」（Ｐｒｏｓｔａｇｌａｎｄｉｎｓ  Ｌｅｕｋｏｔ  Ｅｓｓｅｎｔ  Ｆａｔｔｙ  Ａｃｉｄｓ．，２００９  Ａｕｇ−Ｓｅｐ，８１（２−３）：２１３−２１．，Ｅｐｕｂ  ２００９  Ｊｕｎ  １２．）、および「Ｔｈｅ  ｉｍｐｏｒｔａｎｃｅ  ｏｆ  ｆｉｓｈ  ａｎｄ  ｄｏｃｏｓａｈｅｘａｅｎｏｉｃ  ａｃｉｄ  ｉｎ  Ａｌｚｈｅｉｍｅｒ  ｄｉｓｅａｓｅ」（Ａｍ  Ｊ  Ｃｌｉｎ  Ｎｕｔｒ．，２００７  Ａｐｒ，８５（４）：９２９−３０．）を参照）。
【００６０】
また、本実施形態では、アミノ酸の観点から所定の状態の改善に最適な食材を選択することが可能なだけでなく、例えば、アミノ酸に、さらにカロリー量、タンパク質量、脂質量および炭水化物量等のうち少なくとも一つを加え、これら複数の観点から所定の状態の改善に最適な食材を選択することも可能である。例えば、所定の状態（例えばメタボリックシンドローム関連の状態など）であると判別された場合に、所定の状態の改善に最適なカロリー量を考慮した食材（例えば低カロリーの食材など）を選択してもよい。
【００６１】
また、ステップＳ１１では、判別結果と特定結果を考慮して、最適な食材を選択してもよい。例えば、メタボリックシンドローム関連の状態であるという判別結果と、アミノ酸Ａが低下しているという特定結果を考慮して、低カロリー、かつ、アミノ酸Ａが豊富な食材を選択してもよい。また、所定の状態として複数の状態を設定し、そして、個体が所定の状態であるかを各々の状態ごとに判別してもよい。また、個体が所定の状態であるかと個体についての所定の状態の度合いとを各々の状態ごとに判別してもよい。そして、この場合には、各判別結果と各特定結果を考慮して、最適な食材を選択してもよい。また、ステップＳ１１で、アミノ酸の含有値の総和を各々の状態ごとに算出し、そして、ステップＳ１２で、低下しているアミノ酸が特定された場合に算出されたアミノ酸の含有値の総和と各々の状態ごとに算出されたアミノ酸の含有値の各々の総和との合算値（総和）の降順に１つまたは複数の食材を食材リストから選択してもよい。なお、設定した複数の状態のうち特に重視する状態と当該重視する状態の重視度合いに応じた所定値（例えば１よりも大きな数値など）とを設定し、そして、総和の合算値を算出する際に、当該重視する状態に対して算出された総和に所定値を加算または乗算してもよい。
【００６２】
［２．具体例］
図２は、第１実施形態の具体例を示すフローチャートである。なお、この説明では、生体状態情報に、アミノ酸濃度データと、性別および／または年齢とが含まれているものとする。また、この説明では、所定の状態が、メタボリックシンドロームの状態であるものとする。また、この説明では、メタボリックシンドロームの改善に推奨されるアミノ酸が、ケト原性アミノ酸であるものとする。また、この説明では、食材リストに、複数の食材についてのアミノ酸含有データおよび分類データが含まれているものとする。また、この説明では、各々のアミノ酸含有データに含まれる各々の含有値は、数式「（アミノ酸含有データＸに含まれるアミノ酸ｘの含有値）÷（食材リストに含まれる全てのアミノ酸含有データに含まれるアミノ酸ｘの含有値の平均値）×１００」で得られた値（単位は％）に置き換えられているものとする。
【００６３】
まず、（ｉ）アミノ酸濃度データ、およびメタボリックシンドロームの判別に有用なアミノ酸を変数として含む判別式に基づいて、当該判別式の値を算出し、（ｉｉ）算出した値と所定の閾値とを比較して、個体がメタボリックシンドロームの状態であるかと、個体についてのメタボリックシンドロームの状態の度合いを判別する（ステップＳＡ１）。なお、ステップＳＡ１では、本出願人による国際出願である国際公開第２００８／０１５９２９号、国際公開第２００９／００１８６２号、国際公開第２００９／０５４３５０号または国際公開第２０１０／０９５６８２号に開示されている判別式を用いてもよい。
【００６４】
一方で、アミノ酸濃度データに含まれる必須アミノ酸のうち、濃度値が、生体状態情報に含まれる性別および／または年齢が考慮された基準値に対して低下しているものを特定する（ステップＳＡ２）。
【００６５】
そして、ステップＳＡ１でメタボリックシンドロームであると判別された、またはステップＳＡ２で低下している必須アミノ酸が特定された場合（ステップＳＡ３：Ｙｅｓ）には、後述するステップＳＡ４が実行され、ステップＳＡ１でメタボリックシンドロームであると判別されず、且つステップＳＡ２で低下している必須アミノ酸が特定されなかった場合（ステップＳＡ３：Ｎｏ）には、後述するステップＳＡ９が実行される。
【００６６】
ステップＳＡ１でメタボリックシンドロームであると判別された場合には、ケト原性アミノ酸に対して、ステップＳＡ１で判別されたメタボリックシンドロームの度合いに応じた重み付け値を、メタボリックシンドロームの度合い毎の重み付け値を含む重み付け値リストを参照して設定する（ステップＳＡ４）。重み付け値リストは、例えば、メタボリックシンドロームの度合いが“軽度”と判別された場合に対してケト原性アミノ酸に該当する全てのアミノ酸に均一に重み付け値“１０”が割り当てられ、当該度合いが“中程度”と判別された場合に対して当該全てのアミノ酸に均一に重み付け値“２０”が割り当てられ、そして、当該度合いが“重度”と判別された場合に対して当該全てのアミノ酸に均一に重み付け値“３０”が割り当てられたものでもよい。なお、疾患の状態の度合いに応じて設定される重み付け値は、アミノ酸の消化吸収率および／またはアミノ酸の代謝率が考慮されたものでもよい。また、消化吸収率および代謝率は、個体の生態状態（例えば年齢または性別など）などに応じて変えてもよい。
【００６７】
また、ステップＳＡ２で低下している必須アミノ酸が特定された場合には、特定された必須アミノ酸に対して、濃度値の基準値からの低下度合いに応じた重み付け値を設定する（ステップＳＡ４）。例えば、低下している必須アミノ酸としてアミノ酸Ａ、ＢおよびＣが特定され、アミノ酸Ａ、ＢおよびＣの低下率が順に３０％、１５％および５％であった場合には、アミノ酸Ａ、ＢおよびＣに対して順に“３０”、“１５”および“５”の重み付け値を設定してもよい。なお、特定されたアミノ酸Ａ、ＢおよびＣ以外の必須アミノ酸に対して“０”の重み付け値を設定してもよい。また、仮にアミノ酸Ｃを考慮するのが適切でない場合があれば、アミノ酸Ｃに対しても“０”の重み付け値を設定してもよい。
【００６８】
そして、ステップＳＡ１でメタボリックシンドロームであると判別された場合には、ステップＳＡ４で、ケト原性アミノ酸に対して設定された重み付け値を、アミノ酸含有データに含まれている、ケト原性アミノ酸に該当する全てのアミノ酸の含有値に乗算する（ステップＳＡ５）。
【００６９】
また、ステップＳＡ２で低下している必須アミノ酸が特定された場合には、ステップＳＡ４で、特定された必須アミノ酸に対して設定された重み付け値を、アミノ酸含有データに含まれている、特定された必須アミノ酸の含有値に乗算する（ステップＳＡ５）。
【００７０】
そして、ステップＳＡ５で重み付け値が乗算された後のアミノ酸含有データに含まれているアミノ酸の含有値の総和を、各々の食材のアミノ酸含有データ毎に算出する（ステップＳＡ６）。
【００７１】
そして、ステップＳＡ６で算出された総和の降順に全てのアミノ酸含有データを分類別に並べ替え、上位Ｌ個（例えば上位３個など）の食材を各々の分類毎に選択する（ステップＳＡ７）。
【００７２】
また、ステップＳＡ６で算出された総和の降順に全てのアミノ酸含有データを、分類を問わずに並べ替え、上位Ｍ個（例えば上位１０個など）の食材を選択する（ステップＳＡ７）。
【００７３】
そして、ステップＳＡ７で選択された食材が用いられている献立を、献立リストから検索する（ステップＳＡ８）。例えば、ステップＳＡ７で選択された食材が最も多く用いられている献立から順に上位Ｎ個（例えば上位１０個）を、献立リストから検索してもよい。
【００７４】
そして、ステップＳＡ１での判別結果とステップＳＡ２での特定結果に応じたアドバイス情報を作成する（ステップＳＡ９）。例えば、ステップＳＡ１でメタボリックシンドロームであると判別された場合には、カロリー摂取制限、脂質摂取制限および運動を推奨する内容のアドバイス情報を作成する。また、例えば、ステップＳＡ１でメタボリックシンドロームであると判別されず、且つステップＳＡ２で低下している必須アミノ酸が特定されなかった場合には、これまで通りの適正な食事および運動を推奨する内容のアドバイス情報を作成する。
【００７５】
そして、ステップＳＡ７で選択された食材、ステップＳＡ８で検索された献立およびステップＳＡ９で作成されたアドバイス情報を含む結果情報を出力する（ステップＳＡ１０）。例えば、結果情報を、印刷装置を用いて紙などの物理媒体に印刷したり、電子的な記憶装置または記録媒体に格納したり、モニタに表示したり、スピーカを介して音声で出力したり、電子メールに添付ファイルとして添付したりしてもよい。
【００７６】
なお、本具体例は、所定の状態がメタボリックシンドロームの状態ではなく、内臓脂肪蓄積、肥満症、高脂血症、高血圧、インスリン抵抗性、糖尿病、耐糖能異常、脂肪肝（例えばアルコール性脂肪肝、非アルコール性脂肪肝または非アルコール性脂肪肝炎など）の状態（メタボリックシンドローム関連の状態）である場合においても、同様に適用可能なものである。ただし、上述したステップＳＡ１で用いられる判別式は、所定の状態として設定された疾患に応じて、当該疾患の判別に適したものに変更することが好ましい。また、本具体例を所定の状態がインスリン抵抗性、糖尿病または耐糖能異常の状態である場合に適用されるときは、所定の状態の改善に推奨されるアミノ酸を、分岐鎖アミノ酸またはＩｌｅとしてもよい。
【００７７】
［第２実施形態］
第２実施形態にかかる食材選択装置（本発明にかかる食物選択装置に相当）、食材選択方法（本発明にかかる食物選択方法に相当）、食材選択プログラム（本発明にかかる食物選択プログラムに相当）、記録媒体、食材選択システム（本発明にかかる食物選択システムに相当）およびクライアント端末（本発明にかかる情報通信端末に相当）を、図３から図１０を参照して詳細に説明する。
【００７８】
［１．概要］
図３は、第２実施形態の概要を示す図である。まず、制御部は、例えば動物またはヒトなどの個体の生体状態に関する生体状態情報に基づいて、個体が所定の状態であるかを判別する（ステップＳ２１）。
【００７９】
そして、制御部は、ステップＳ２１で個体が所定の状態であると判別された場合には、所定の状態の改善に推奨される、少なくともアミノ酸に基づいて（を考慮して）、複数の食材についての、食材中のアミノ酸の含有値（例えば含有量または含有率など）に関するアミノ酸含有データを含む食材リストから、食材を選択する（ステップＳ２２）。
【００８０】
なお、生体状態情報には、例えば、個体の血液中のアミノ酸の濃度値に関するアミノ酸濃度データが含まれてもよい。アミノ酸濃度データは、例えば、アミノ酸濃度値測定を行う企業等が測定したものでもよく、また、個体から採取した血液から例えば以下の（Ａ）または（Ｂ）などの測定方法で測定したものでもよい。アミノ酸の濃度値の単位は、例えば、モル濃度、重量濃度またはこれらの濃度に任意の定数を加減乗除することで得られたものでもよい。
（Ａ）採取した血液サンプルを遠心することにより血液から血漿を分離する。全ての血漿サンプルは、アミノ酸濃度値の測定時まで−８０℃で凍結保存する。アミノ酸濃度値測定時には、アセトニトリルを添加し除蛋白処理を行った後、標識試薬（３−アミノピリジル−Ｎ−ヒドロキシスクシンイミジルカルバメート）を用いてプレカラム誘導体化を行い、そして、液体クロマトグラフ質量分析計（ＬＣ−ＭＳ）によりアミノ酸濃度値を分析する（国際公開第２００３／０６９３２８号、国際公開第２００５／１１６６２９号を参照）。
（Ｂ）採取した血液サンプルを遠心することにより血液から血漿を分離する。全ての血漿サンプルは、アミノ酸濃度値の測定時まで−８０℃で凍結保存する。アミノ酸濃度値測定時には、スルホサリチル酸を添加し除蛋白処理を行った後、ニンヒドリン試薬を用いたポストカラム誘導体化法を原理としたアミノ酸分析計によりアミノ酸濃度値を分析する。
【００８１】
また、生体状態情報には、例えば、年齢、性別、身長、体重、ウエスト、当該身長・体重から得られるＢＭＩ（Ｂｏｄｙ  Ｍａｓｓ  Ｉｎｄｅｘ）値、インピーダンス法で測定された値（例えばインピーダンス値または当該インピーダンス値から推定された体脂肪率など）、またはＣＴ・ＭＲＩなどで撮像した画像から得られた値（例えば腹部の断面積など）などのデータが含まれてもよい。生体状態情報から、例えば、欠損値または外れ値などのデータを除去してもよい。
【００８２】
また、所定の状態は、例えば、メタボリックシンドローム、内臓脂肪蓄積、肥満症、高脂血症、高血圧、インスリン抵抗性、糖尿病、耐糖能異常、脂肪肝（例えばアルコール性脂肪肝、非アルコール性脂肪肝または非アルコール性脂肪肝炎など）、高尿酸血症、冠動脈性心疾患、脳卒中、うつ、認知症、アルツハイマー、癌、栄養失調、摂食障害（例えば拒食症または過食症など）または栄養素の摂取・代謝・吸収を妨げる疾患（例えば吸収不良疾患、炎症性腸疾患または肝臓疾患など）などの状態でもよく、また必要なカロリー量が増大する状態（例えば、外傷（例えば火傷など）、手術、甲状腺機能亢進症、感染症、腎臓疾患、高熱、激しい運動（例えばリハビリテーションまたは運動競技のトレーニングなど）、妊娠または授乳など）でもよい。
所定の状態がメタボリックシンドローム、内臓脂肪蓄積、肥満症、高脂血症、高血圧、糖尿病、耐糖能異常、脂肪肝（例えばアルコール性脂肪肝、非アルコール性脂肪肝または非アルコール性脂肪肝炎など）の状態（メタボリックシンドローム関連の状態）である場合には、所定の状態の改善に推奨されるアミノ酸は、例えば、ケト原性アミノ酸ＫＡＡ（分岐鎖アミノ酸ＢＣＡＡ（Ｖａｌ、ＬｅｕおよびＩｌｅ）、ＴｈｒおよびＬｙｓ）などでもよい（例えば、本出願人による国際出願である国際公開第２００７／０４９８１８号を参照）。
所定の状態がインスリン抵抗性、糖尿病または耐糖能異常の状態である場合には、所定の状態の改善に推奨されるアミノ酸は、例えば、分岐鎖アミノ酸ＢＣＡＡ（Ｖａｌ、ＬｅｕおよびＩｌｅ）またはＩｌｅなどでもよい（例えば、「Ｂｒａｎｃｈｅｄ−ｃｈａｉｎ  ａｍｉｎｏ  ａｃｉｄｓ  ｉｍｐｒｏｖｅ  ｇｌｕｃｏｓｅ  ｍｅｔａｂｏｌｉｓｍ  ｉｎ  ｒａｔｓ  ｗｉｔｈ  ｌｉｖｅｒ  ｃｉｒｒｈｏｓｉｓ．」（Ａｍ  Ｊ  Ｐｈｙｓｉｏｌ  Ｇａｓｔｒｏｉｎｔｅｓｔ  Ｌｉｖｅｒ  Ｐｈｙｓｉｏｌ．，２００５  Ｊｕｎ，２８８（６）：Ｇ１２９２−３００，Ｅｐｕｂ  ２００４  Ｄｅｃ  ９．）、「Ｉｓｏｌｅｕｃｉｎｅ，  ａ  ｐｏｔｅｎｔ  ｐｌａｓｍａ  ｇｌｕｃｏｓｅ−ｌｏｗｅｒｉｎｇ  ａｍｉｎｏ  ａｃｉｄ，  ｓｔｉｍｕｌａｔｅｓ  ｇｌｕｃｏｓｅ  ｕｐｔａｋｅ  ｉｎ  Ｃ２Ｃ１２  ｍｙｏｔｕｂｅｓ．」（Ｂｉｏｃｈｅｍ  Ｂｉｏｐｈｙｓ  Ｒｅｓ  Ｃｏｍｍｕｎ．，２００３  Ｄｅｃ  ２６，３１２（４）：１１１１−７．）、「Ｉｓｏｌｅｕｃｉｎｅ，  ａ  ｂｌｏｏｄ  ｇｌｕｃｏｓｅ−ｌｏｗｅｒｉｎｇ  ａｍｉｎｏ  ａｃｉｄ，  ｉｎｃｒｅａｓｅｓ  ｇｌｕｃｏｓｅ  ｕｐｔａｋｅ  ｉｎ  ｒａｔ  ｓｋｅｌｅｔａｌ  ｍｕｓｃｌｅ  ｉｎ  ｔｈｅ  ａｂｓｅｎｃｅ  ｏｆ  ｉｎｃｒｅａｓｅｓ  ｉｎ  ＡＭＰ−ａｃｔｉｖａｔｅｄ  ｐｒｏｔｅｉｎ  ｋｉｎａｓｅ  ａｃｔｉｖｉｔｙ．」（Ｊ  Ｎｕｔｒ．，２００５  Ｓｅｐ，１３５（９）：２１０３−８．）、および「Ｈｙｐｏｇｌｙｃｅｍｉｃ  ｅｆｆｅｃｔ  ｏｆ  ｉｓｏｌｅｕｃｉｎｅ  ｉｎｖｏｌｖｅｓ  ｉｎｃｒｅａｓｅｄ  ｍｕｓｃｌｅ  ｇｌｕｃｏｓｅ  ｕｐｔａｋｅ  ａｎｄ  ｗｈｏｌｅ  ｂｏｄｙ  ｇｌｕｃｏｓｅ  ｏｘｉｄａｔｉｏｎ  ａｎｄ  ｄｅｃｒｅａｓｅｄ  ｈｅｐａｔｉｃ  ｇｌｕｃｏｎｅｏｇｅｎｅｓｉｓ．」（Ａｍ  Ｊ  Ｐｈｙｓｉｏｌ  Ｅｎｄｏｃｒｉｎｏｌ  Ｍｅｔａｂ．，２００７  Ｊｕｎ，２９２（６）：Ｅ１６８３−９３．，Ｅｐｕｂ  ２００７  Ｆｅｂ  １３．）を参照）。
また、所定の状態は、例えば、何らかのアミノ酸の濃度値が基準値に対して低下または増加している状態でもよい。所定の状態が何らかのアミノ酸の濃度値が基準値に対して低下している状態である場合には、所定の状態の改善に推奨されるアミノ酸は、例えば、当該濃度値が基準値に対して低下しているアミノ酸などでもよい。基準値として、例えば、健常人における各種アミノ酸の平均濃度値を設定してもよく、また、当該平均濃度値に対して健常人における各種アミノ酸の最大濃度値、最小濃度値および濃度値の標準偏差（ＳＤ：ｓｔａｎｄａｒｄ  ｄｅｖｉａｔｉｏｎ）などのうち少なくとも一つが考慮された当該平均濃度値を含む数値範囲（例えば平均濃度値±ｘＳＤ（ｘは正の実数（具体的には１，２，３などの自然数））など）を設定してもよい。基準値として、既に公表されているものを設定してもよく、また、アミノ酸の濃度値についてデータ収集して新たに（独自に）算出したものを設定してもよい。
なお、所定の状態であるかを判別するとは、メタボリックシンドロームを例に挙げると、個体を、メタボリックシンドロームおよび非メタボリックシンドロームの２群のうちのどちらかに分類することでもよく、また、個体を、メタボリックシンドロームである可能性の程度を少なくとも考慮して定義された複数の区分（例えば、メタボリックシンドロームである可能性が高い区分（例えばランクＣなど）、中程度の区分（例えばランクＢなど）、低い区分（例えばランクＡなど）など）のいずれかに分類することでもよい。
【００８３】
また、ステップＳ２１では、制御部は、例えば、（ｉ）アミノ酸濃度データに含まれている所定の状態の判別に有用なアミノ酸の濃度値に基づいて、個体が所定の状態であるかを判別してもよく、また、（ｉｉ）アミノ酸濃度データおよび所定の状態の判別に有用なアミノ酸を変数として含む判別式に基づいて当該判別式の値を算出し、算出した当該値に基づいて個体が所定の状態であるかを判別してもよい。この判別は、例えば、本出願人による国際出願である国際公開第２００４／０５２１９１号、国際公開第２００６／０９８１９２号、国際公開第２００９／０５４３５１号、国際公開第２００８／０１５９２９号、国際公開第２００９／００１８６２号、国際公開第２００９／０５４３５０号または国際公開第２０１０／０９５６８２号に開示されている方法を用いて行ってもよい。
【００８４】
また、例えば、所定の状態がメタボリックシンドロームの状態であり、且つ、生体状態情報に、年齢、性別、身長・体重もしくは当該身長・体重から得られるＢＭＩ値、ウエスト、インピーダンス法で測定された値、および／またはＣＴ・ＭＲＩなどで撮像した画像から得られた値が含まれている場合には、ステップＳ２１では、制御部は、年齢、性別、身長・体重、ＢＭＩ値、ウエスト、インピーダンス法で測定された値および／または画像から得られた値に基づいて、個体がメタボリックシンドロームであるかを判別してもよい。
【００８５】
また、生体状態情報にアミノ酸濃度データが含まれている場合には、制御部は、（ｉ）アミノ酸濃度データに基づいて、濃度値が基準値に対して低下しているアミノ酸を特定し、（ｉｉ）特定された一部または全てのアミノ酸に対して、濃度値の基準値からの低下度合いに応じた重み付け値を設定し、（ｉｉｉ）設定された重み付け値を、アミノ酸含有データに含まれている、特定された一部または全てのアミノ酸の含有値に乗算し、（ｉｖ）重み付け値が乗算された後のアミノ酸含有データに含まれているアミノ酸の含有値の総和を、各々の食材のアミノ酸含有データ毎に算出してもよい。そして、ステップＳ２２では、制御部は、低下しているアミノ酸が特定された場合には、少なくとも、算出された総和（総和Ａ）に基づいて（例えば総和Ａの降順に）、１つまたは複数の食材を食材リストから選択してもよい。
【００８６】
なお、制御部は、濃度値が基準値に対して低下している必須アミノ酸を特定してもよい。また、生体状態情報に個体の性別および／または年齢が含まれている場合には、基準値は、当該性別および／または年齢が考慮されたものでもよい。ここで、必須アミノ酸には、イソロイシン（Ｉｌｅ）、ロイシン（Ｌｅｕ）、バリン（Ｖａｌ）、リジン（Ｌｙｓ）、メチオニン（Ｍｅｔ）、フェニルアラニン（Ｐｈｅ）、スレオニン（Ｔｈｒ）、トリプトファン（Ｔｒｐ）、ヒスチジン（Ｈｉｓ）が含まれる。また、非必須アミノ酸には、アラニン（Ａｌａ）、アルギニン（Ａｒｇ）、アスパラギン（Ａｓｎ）、アスパラギン酸（Ａｓｐ）、システイン（Ｃｙｓ）、グルタミン酸（Ｇｌｕ）、グルタミン（Ｇｌｎ）、グリシン（Ｇｌｙ）、プロリン（Ｐｒｏ）、セリン（Ｓｅｒ）、チロシン（Ｔｙｒ）が含まれる。なお、準必須アミノ酸であるアルギニン（Ａｒｇ）や、準必須アミノ酸と扱われることもあるシステイン（Ｃｙｓ）、チロシン（Ｔｙｒ）を、それぞれ必須アミノ酸に含めてもよい。
【００８７】
また、必須アミノ酸に（共通して）適用される第一の係数と、非必須アミノ酸に（共通して）適用される、第一の係数とは異なる第二の係数を、予め設定してもよく、濃度値が基準値に対して低下している必須アミノ酸が特定された場合には、制御部は、特定された一部または全ての必須アミノ酸に対して設定した重み付け値または特定された一部または全ての必須アミノ酸の含有値に第一の係数を乗算してもよく、濃度値が基準値に対して低下している非必須アミノ酸が特定された場合には、制御部は、特定された一部または全ての非必須アミノ酸に対して設定した重み付け値または特定された一部または全ての非必須アミノ酸の含有値に第二の係数を乗算してもよい。
【００８８】
また、分岐鎖アミノ酸に（共通して）適用される第三の係数と、必須アミノ酸に該当するが分岐鎖アミノ酸に該当しないアミノ酸に個別に適用される、互いに異なり且つ第三の係数とも異なる複数の第四の係数を、予め設定してもよく、分岐鎖アミノ酸が特定された場合には、制御部は、特定された一部または全ての分岐鎖アミノ酸に対して設定した重み付け値または特定された一部または全ての分岐鎖アミノ酸の含有値に第三の係数を乗算してもよく、必須アミノ酸に該当するが分岐鎖アミノ酸に該当しないアミノ酸が特定された場合には、制御部は、特定された一部または全てのアミノ酸に対して設定した重み付け値または特定された一部または全てのアミノ酸の含有値に、特定されたアミノ酸に適用される第四の係数を乗算してもよい。また、非必須アミノ酸に（共通して）適用される、第三の係数および第四の係数とは異なる第五の係数を予め設定してもよく、非必須アミノ酸が特定された場合には、制御部は、一部または全ての非必須アミノ酸に対して設定した重み付け値または特定された一部または全ての非必須アミノ酸の含有値に第五の係数を乗算してもよい。
【００８９】
また、必須アミノ酸に該当するアミノ酸に個別に適用される、互いに異なる複数の係数を設定してもよく、また、非必須アミノ酸に該当するアミノ酸に個別に適用される、互いに異なる複数の係数を設定してもよい。また、上述した係数は、それぞれ、アミノ酸の消化吸収率および／またはアミノ酸の代謝率などが考慮されたものでもよい。また、消化吸収率および代謝率は、個体の生態状態（例えば年齢または性別など）などに応じて変えてもよい。
【００９０】
また、ステップＳ２１では、制御部は、個体についての所定の状態の度合いを判別してもよい。所定の状態の度合いを判別するとは、メタボリックシンドロームを例に挙げると、メタボリックシンドロームの進行度合いを示した値を算出することでもよく、また、個体を、メタボリックシンドロームの進行度合いを少なくとも考慮して定義された複数の区分（進行度合いが高い区分（例えばランクＣなど）、中程度である区分（例えばランクＢなど）、低い区分（例えばランクＡなど）など）のいずれかに分類することでもよい。そして、この場合には、制御部は、（ｉ）所定の状態の改善に推奨される一部または全てのアミノ酸に対して、ステップＳ２１で判別された度合いに応じた重み付け値を設定し、（ｉｉ）設定された重み付け値を、アミノ酸含有データに含まれている、所定の状態の改善に推奨される一部または全てのアミノ酸の含有値に乗算し、（ｉｉｉ）重み付け値が乗算された後のアミノ酸含有データに含まれているアミノ酸の含有値の総和を、各々の食材のアミノ酸含有データ毎に算出してもよい。そして、ステップＳ２２では、制御部は、少なくとも、算出された総和（総和Ｂ）に基づいて（例えば総和Ｂの降順に）、１つまたは複数の食材を食材リストから選択してもよい。なお、制御部は、重み付け値と含有値を乗算する際、所定の状態の改善に推奨されるアミノ酸に適した係数（例えば、上述した５つの係数から、当該アミノ酸の種類を考慮して選ばれたもの）をさらに乗算してもよい。また、ステップＳ２２では、制御部は、低下しているアミノ酸が特定された場合には、少なくとも総和Ａおよび総和Ｂに基づいて、食材を選択してもよい。
【００９１】
また、食材リストには、複数の食材についての、食材の分類（例えば、穀類、豆類、野菜類、魚介類または肉類など）に関する分類データが含まれてもよい。そして、この場合には、ステップＳ２２では、制御部は、各々の分類毎に、食材リストから食材を選択してもよい。例えば、制御部は、各々の分類毎に、算出された総和の降順に、１つまたは複数の食材を食材リストから選択してもよい。
【００９２】
また、制御部は、食材リストに含まれている食材と関連付けられた複数の献立データを含む献立リストから、ステップＳ２２で選択された食材が用いられている献立を検索してもよい。なお、基本的には選択された食材に基づいて食事（献立）を調整するが、結晶状態のアミノ酸を混ぜて食事を調整してもよい。
【００９３】
また、ステップＳ２２では、例えば、所定の状態の改善に推奨されるアミノ酸および所定の状態の改善に推奨される必須脂肪酸（好ましくはオメガ３系脂肪酸、より好ましくはＤＨＡ（ｄｏｃｏｓａｈｅｘａｅｎｏｉｃ  ａｃｉｄ）またはＥＰＡ（ｅｉｃｏｓａｐｅｎｔａｅｎｏｉｃ  ａｃｉｄ））に基づいて（換言すると、アミノ酸だけでなく必須脂肪酸も考慮して）、食材リストから食材を選択してもよい。なお、所定の状態がメタボリックシンドローム、内臓脂肪蓄積、耐糖能異常、冠動脈性心疾患、脳卒中、うつまたはアルツハイマーの状態である場合には、所定の状態の改善に推奨される必須脂肪酸は、例えば、ＤＨＡまたはＥＰＡなどでもよい（例えば、「ｎ−３  ｆａｔｔｙ  ａｃｉｄｓ  ａｎｄ  ｔｈｅ  ｍｅｔａｂｏｌｉｃ  ｓｙｎｄｒｏｍｅ」（Ａｍ  Ｊ  Ｃｌｉｎ  Ｎｕｔｒ．，２００６  Ｊｕｎ，８３（６  Ｓｕｐｐｌ）：１４９９Ｓ−１５０４Ｓ．）、「Ｒｏｌｅ  ｏｆ  ω３  Ｌｏｎｇｃｈａｉｎ  ｐｏｌｙｕｎｓａｔｕｒａｔｅｄ  ｆａｔｔｙ  ａｃｉｄｓ  ｉｎ  ｒｅｄｕｃｉｎｇ  ｃａｒｄｉｏ−ｍｅｔａｂｏｌｉｃ  ｒｉｓｋ  ｆａｃｔｏｒｓ．」（Ｅｎｄｏｃｒ  Ｍｅｔａｂ  Ｉｍｍｕｎｅ  Ｄｉｓｏｒｄ  Ｄｒｕｇ  Ｔａｒｇｅｔｓ．，２０１１  Ｓｅｐ  １，１１（３）：２３２−４６．）、「Ｆｉｓｈ  ａｎｄ  ｏｍｅｇａ−３  ｆａｔｔｙ  ａｃｉｄ  ｉｎｔａｋｅ  ａｎｄ  ｒｉｓｋ  ｏｆ  ｃｏｒｏｎａｒｙ  ｈｅａｒｔ  ｄｉｓｅａｓｅ  ｉｎ  ｗｏｍｅｎ．」（ＪＡＭＡ．，２００２  Ａｐｒ  １０，２８７（１４）：１８１５−２１．）、「Ｆｉｓｈ  ａｎｄ  ｌｏｎｇ−ｃｈａｉｎ  ｏｍｅｇａ−３  ｆａｔｔｙ  ａｃｉｄ  ｉｎｔａｋｅ  ａｎｄ  ｒｉｓｋ  ｏｆ  ｃｏｒｏｎａｒｙ  ｈｅａｒｔ  ｄｉｓｅａｓｅ  ａｎｄ  ｔｏｔａｌ  ｍｏｒｔａｌｉｔｙ  ｉｎ  ｄｉａｂｅｔｉｃ  ｗｏｍｅｎ．」（Ｃｉｒｃｕｌａｔｉｏｎ．，２００３  Ａｐｒ  １５，１０７（１４）：１８５２−７．，Ｅｐｕｂ  ２００３  Ｍａｒ  ３１．）、「Ｉｎｔａｋｅ  ｏｆ  ｆｉｓｈ  ａｎｄ  ｏｍｅｇａ−３  ｆａｔｔｙ  ａｃｉｄｓ  ａｎｄ  ｒｉｓｋ  ｏｆ  ｓｔｒｏｋｅ  ｉｎ  ｗｏｍｅｎ．」（ＪＡＭＡ．，２００１  Ｊａｎ  １７，２８５（３）：３０４−１２．）、「Ｏｍｅｇａ−３  ｆａｔｔｙ  ａｃｉｄｓ  ａｎｄ  ｍａｊｏｒ  ｄｅｐｒｅｓｓｉｏｎ：  ａ  ｐｒｉｍｅｒ  ｆｏｒ  ｔｈｅ  ｍｅｎｔａｌ  ｈｅａｌｔｈ  ｐｒｏｆｅｓｓｉｏｎａｌ．」（Ｌｉｐｉｄｓ  Ｈｅａｌｔｈ  Ｄｉｓ．，２００４  Ｎｏｖ  ９，３：２５．）、「Ｏｍｅｇａ−３  ｆａｔｔｙ  ａｃｉｄｓ  ｉｎ  ｔｈｅ  ｔｒｅａｔｍｅｎｔ  ｏｆ  ｐｓｙｃｈｉａｔｒｉｃ  ｄｉｓｏｒｄｅｒｓ．」（Ｄｒｕｇｓ．，２００５，６５（８）：１０５１−９．）、「Ａ  ｍｅｔａ−ａｎａｌｙｔｉｃ  ｒｅｖｉｅｗ  ｏｆ  ｄｏｕｂｌｅ−ｂｌｉｎｄ，  ｐｌａｃｅｂｏ−ｃｏｎｔｒｏｌｌｅｄ  ｔｒｉａｌｓ  ｏｆ  ａｎｔｉｄｅｐｒｅｓｓａｎｔ  ｅｆｆｉｃａｃｙ  ｏｆ  ｏｍｅｇａ−３  ｆａｔｔｙ  ａｃｉｄｓ．」（Ｊ  Ｃｌｉｎ  Ｐｓｙｃｈｉａｔｒｙ．，２００７  Ｊｕｌ，６８（７）：１０５６−６１．）、「Ｎｅｕｒｏｐｒｏｔｅｃｔｉｖｅ  ａｃｔｉｏｎ  ｏｆ  ｏｍｅｇａ−３  ｐｏｌｙｕｎｓａｔｕｒａｔｅｄ  ｆａｔｔｙ  ａｃｉｄｓ  ａｇａ��ｎｓｔ  ｎｅｕｒｏｄｅｇｅｎｅｒａｔｉｖｅ  ｄｉｓｅａｓｅｓ：  ｅｖｉｄｅｎｃｅ  ｆｒｏｍ  ａｎｉｍａｌ  ｓｔｕｄｉｅｓ．」（Ｐｒｏｓｔａｇｌａｎｄｉｎｓ  Ｌｅｕｋｏｔ  Ｅｓｓｅｎｔ  Ｆａｔｔｙ  Ａｃｉｄｓ．，２００７  Ｎｏｖ−Ｄｅｃ，７７（５−６）：２８７−９３．，Ｅｐｕｂ  ２００７  Ｎｏｖ  ２６．）、「Ｏｍｅｇａ−３  ｆａｔｔｙ  ａｃｉｄｓ  ａｎｄ  ｄｅｍｅｎｔｉａ．」（Ｐｒｏｓｔａｇｌａｎｄｉｎｓ  Ｌｅｕｋｏｔ  Ｅｓｓｅｎｔ  Ｆａｔｔｙ  Ａｃｉｄｓ．，２００９  Ａｕｇ−Ｓｅｐ，８１（２−３）：２１３−２１．，Ｅｐｕｂ  ２００９  Ｊｕｎ  １２．）、および「Ｔｈｅ  ｉｍｐｏｒｔａｎｃｅ  ｏｆ  ｆｉｓｈ  ａｎｄ  ｄｏｃｏｓａｈｅｘａｅｎｏｉｃ  ａｃｉｄ  ｉｎ  Ａｌｚｈｅｉｍｅｒ  ｄｉｓｅａｓｅ」（Ａｍ  Ｊ  Ｃｌｉｎ  Ｎｕｔｒ．，２００７  Ａｐｒ，８５（４）：９２９−３０．）を参照）。
【００９４】
また、本実施形態では、アミノ酸の観点から所定の状態の改善に最適な食材を選択することが可能なだけでなく、例えば、アミノ酸に、さらにカロリー量、タンパク質量、脂質量および炭水化物量等のうち少なくとも一つを加え、これら複数の観点から所定の状態の改善に最適な食材を選択することも可能である。例えば、所定の状態（例えばメタボリックシンドローム関連の状態など）であると判別された場合に、所定の状態の改善に最適なカロリー量を考慮した食材（例えば低カロリーの食材など）を選択してもよい。
【００９５】
また、ステップＳ２１では、判別結果と特定結果を考慮して、最適な食材を選択してもよい。例えば、制御部は、メタボリックシンドローム関連の状態であるという判別結果と、アミノ酸Ａが低下しているという特定結果を考慮して、低カロリー、かつ、アミノ酸Ａが豊富な食材を選択してもよい。また、所定の状態として複数の状態を設定し、そして、制御部は、個体が所定の状態であるかを各々の状態ごとに判別してもよい。また、制御部は、個体が所定の状態であるかと個体についての所定の状態の度合いとを各々の状態ごとに判別してもよい。そして、この場合には、各判別結果と各特定結果を考慮して、最適な食材を選択してもよい。また、ステップＳ２１で、制御部は、アミノ酸の含有値の総和を各々の状態ごとに算出し、そして、ステップＳ２２で、制御部は、低下しているアミノ酸が特定された場合に算出されたアミノ酸の含有値の総和と各々の状態ごとに算出されたアミノ酸の含有値の各々の総和との合算値（総和）の降順に１つまたは複数の食材を食材リストから選択してもよい。なお、設定した複数の状態のうち特に重視する状態と当該重視する状態の重視度合いに応じた所定値（例えば１よりも大きな数値など）とを設定し、そして、制御部は、総和の合算値を算出する際に、当該重視する状態に対して算出された総和に所定値を加算または乗算してもよい。
【００９６】
［２．構成］
図４は、第２実施形態の構成の一例を示す図である。第２実施形態にかかる食材選択システムは、食材選択装置１００と、本発明の情報通信端末に相当する１つまたは複数のクライアント端末２００と、ネットワーク３００と、を備える。食材選択装置１００とクライアント端末２００は、ネットワーク３００を介して通信可能に接続される。
【００９７】
ネットワーク３００は、食材選択装置１００とクライアント端末２００を相互に通信可能に接続する機能を有し、例えばインターネット、イントラネットまたはＬＡＮ（有線／無線の双方を含む）等である。
【００９８】
食材選択装置１００は、当該装置を統括的に制御するＣＰＵ等の制御部１０２と、ルータ等の通信装置および専用線等の有線または無線の通信回線を介して当該装置をネットワーク３００に通信可能に接続する通信インターフェース部１０４と、各種のデータベース、テーブルまたはファイルなどを格納する記憶部１０６と、入力装置１１２および出力装置１１４に接続する入出力インターフェース部１０８と、を備え、これら各部は任意の通信路を介して通信可能に接続される。
【００９９】
記憶部１０６は、ストレージ手段である。記憶部１０６として、例えば、ＲＡＭ・ＲＯＭ等のメモリ装置、ハードディスクのような固定ディスク装置、フレキシブルディスク、または光ディスク等を用いることができる。記憶部１０６には、ＯＳ（Ｏｐｅｒａｔｉｎｇ  Ｓｙｓｔｅｍ）と協働してＣＰＵに命令を与えて各種処理を行うためのコンピュータプログラムが記録されている。記憶部１０６には、生体状態情報ファイル１０６ａ、判別基準情報ファイル１０６ｂ、食材リストファイル１０６ｃ、献立リストファイル１０６ｄおよび結果ファイル１０６ｅが格納される。
【０１００】
図５は、生体状態情報ファイル１０６ａに格納される情報の一例を示す図である。生体状態情報ファイル１０６ａには、動物またはヒトなどの個体の生態状態に関する生体状態情報が格納される。生体状態情報とは、個体の生体状態に関する特定の項目について測定した値に関する情報である。生体状態情報ファイル１０６ａには、例えばアミノ酸濃度データと、年齢と、性別と、身長と、体重と、腹囲（ウエスト）と、等が格納される。ここで、アミノ酸濃度データは、名義尺度または順序尺度でもよい。なお、名義尺度または順序尺度の場合は、それぞれの尺度の状態に対して任意の数値を与えることで解析してもよい。
【０１０１】
図６は、判別基準情報ファイル１０６ｂに格納される情報の一例を示す図である。判別基準ファイル１０６ｂには、例えばメタボリックシンドローム、内臓脂肪蓄積、肥満症、高脂血症、高血圧、糖尿病、耐糖能異常、脂肪肝（例えばアルコール性脂肪肝、非アルコール性脂肪肝または非アルコール性脂肪肝炎など）、高尿酸血症、冠動脈性心疾患、脳卒中、うつ、認知症、アルツハイマーまたは癌などの疾患などの判別対象と、当該判別対象の判別に有用な１つまたは複数のアミノ酸と、当該判別対象の判別に有用な１つまたは複数の判別式と、当該判別対象の判別の際に用いられる各々のアミノ酸および各々の判別式毎の閾値と、が格納される。
【０１０２】
図７は、食材リストファイル１０６ｃに格納される情報の一例を示す図である。食材リストファイル１０６ｃには、食品コードと、食品名と、食品の重量と、食品のエネルギーの量と、食品に含まれる水分、タンパク質、脂質、炭水化物および複数のアミノ酸の量と、食品のアミノ酸価と、その他情報と、が格納される。なお、その他情報には、例えば、食品に含まれるナトリウム、カリウム、カルシウム、マグネシウム、リン、鉄、亜鉛、銅、マンガン、トリグリセリドおよび灰分の量と、食品に含まれる含硫アミノ酸の合計、芳香族アミノ酸の合計、分岐鎖アミノ酸の合計、ケト原性アミノ酸の合計、ケト原性アミノ酸の合計をエネルギーの量で割って得られる値およびケト原性アミノ酸の合計をナトリウムの量で割って得られる値と、食品のＦｉｓｃｈｅｒ比と、が含まれてもよい。食材リストファイル１０６ｃに格納される情報は、例えば、文部科学省が公開している「日本食品標準成分表準拠  アミノ酸成分表２０１０」（アドレス「ｈｔｔｐ：／／ｗｗｗ．ｍｅｘｔ．ｇｏ．ｊｐ／ｂ＿ｍｅｎｕ／ｓｈｉｎｇｉ／ｇｉｊｙｕｔｕ／ｇｉｊｙｕｔｕ３／ｈｏｕｋｏｋｕ／１２９８８８１．ｈｔｍ」）に基づくものでもよい。
【０１０３】
図８は、献立リストファイル１０６ｄに格納される情報の一例を示す図である。献立リストファイル１０６ｄには、献立コードと、献立名と、献立で用いられている食品の食品コードと、が格納される。なお、本実施形態では、本発明を食材選択に適用した場合を一例として説明しているが、本発明を料理選択または献立選択に適用する場合には、前記の食材リストファイル１０６ｃを料理用または献立用として用いればよいので、献立リストファイル１０６ｄは設けなくてもよい。
【０１０４】
図９は、結果ファイル１０６ｅに格納される情報の一例を示す図である。結果ファイル１０６ｅには、サンプル番号と、食品名と、献立名と、アドバイス情報と、が格納される。
【０１０５】
図４に戻り、通信インターフェース部１０４は、食材選択装置１００とネットワーク３００（またはルータ等の通信装置）との間における通信を媒介する。すなわち、通信インターフェース部１０４は、他の端末と通信回線を介してデータを通信する機能を有する。
【０１０６】
入出力インターフェース部１０８は、入力装置１１２および出力装置１１４に接続する。出力装置１１４には、モニタ（家庭用テレビを含む）の他、スピーカまたはプリンタなどを用いることができる。入力装置１１２には、キーボード、マウスまたはマイクの他、マウスと協働してポインティングデバイス機能を実現するモニタを用いることができる。
【０１０７】
制御部１０２は、ＯＳ（Ｏｐｅｒａｔｉｎｇ  Ｓｙｓｔｅｍ）等の制御プログラム・各種の処理手順等を規定したプログラム・所要データなどを格納するための内部メモリを有し、これらのプログラムに基づいて種々の情報処理を実行する。制御部１０２は、通信部１０２ａ、判別部１０２ｂ、特定部１０２ｃ、設定部１０２ｄ、乗算部１０２ｅ、加算部１０２ｆ、選択部１０２ｇ、検索部１０２ｈ、作成部１０２ｉおよび出力部１０２ｊを備える。制御部１０２は、クライアント端末２００から送信された生体状態情報から、欠損値のあるデータの除去・外れ値の多いデータの除去・欠損値のあるデータの多い変数の除去などのデータ処理を行ってもよい。
【０１０８】
通信部１０２ａは、本発明の生体状態情報受信手段および選択結果送信手段を含むものである。通信部１０２ａは、クライアント端末２００から送信された生体状態情報を受信して生体状態情報ファイル１０６ａに格納したり、結果ファイル１０６ｅに格納されている結果情報をクライアント端末２００へ送信したりする通信手段である。
【０１０９】
判別部１０２ｂは、生体状態情報（例えばアミノ酸濃度データなど）に基づいて、個体が所定の状態（例えばメタボリックシンドローム、内臓脂肪蓄積、肥満症、高脂血症、高血圧、インスリン抵抗性、糖尿病、耐糖能異常、脂肪肝（例えばアルコール性脂肪肝、非アルコール性脂肪肝または非アルコール性脂肪肝炎など）、高尿酸血症、冠動脈性心疾患、脳卒中、うつ、認知症、アルツハイマーまたは癌など）であるかと、個体についての所定の状態の度合いを判別する判別手段である。例えば、判別部１０２ｂは、（ｉ）アミノ酸濃度データに含まれている所定の状態の判別に有用なアミノ酸の濃度値に基づいて、個体が所定の状態であるかを判別してもよく、また、（ｉｉ）アミノ酸濃度データおよび所定の状態の判別に有用なアミノ酸を変数として含む判別式に基づいて当該判別式の値を算出し、算出した当該値に基づいて個体が所定の状態であるかを判別してもよい。なお、所定の状態であるかを判別するとは、メタボリックシンドロームを例に挙げると、個体を、メタボリックシンドロームおよび非メタボリックシンドロームの２群のうちのどちらかに分類することでもよく、また、個体を、メタボリックシンドロームである可能性の程度を少なくとも考慮して定義された複数の区分（例えば、メタボリックシンドロームである可能性が高い区分（例えばランクＣなど）、中程度の区分（例えばランクＢなど）、低い区分（例えばランクＡなど）など）のいずれかに分類することでもよい。
【０１１０】
特定部１０２ｃは、生体状態情報に含まれているアミノ酸濃度データに基づいて、濃度値が基準値に対して低下しているアミノ酸（例えば必須アミノ酸、分岐鎖アミノ酸または非必須アミノ酸など）を特定する特定手段である。
【０１１１】
設定部１０２ｄは、所定の状態の改善に推奨される一部または全てのアミノ酸（例えば、所定の状態がメタボリックシンドローム、内臓脂肪蓄積、肥満症、高脂血症、高血圧、インスリン抵抗性、糖尿病、耐糖能異常、脂肪肝（例えばアルコール性脂肪肝、非アルコール性脂肪肝または非アルコール性脂肪肝炎など）の場合（メタボリックシンドローム関連の状態）にはケト原性アミノ酸、または、所定の状態がインスリン抵抗性、糖尿病または耐糖能異常の場合には分岐鎖アミノ酸またはＩｌｅなど）に対して、判別部１０２ｂで判別された度合いに応じた重み付け値を設定する設定手段である。なお、判別部１０２ｂで判別された度合いに応じて設定される重み付け値は、アミノ酸の消化吸収率および／またはアミノ酸の代謝率が考慮されたものでもよい。また、消化吸収率および代謝率は、個体の生態状態（例えば年齢または性別など）などに応じて変えてもよい。
設定部１０２ｄは、特定部１０２ｃで特定された一部または全てのアミノ酸（例えば必須アミノ酸、分岐鎖アミノ酸または非必須アミノ酸など）に対して、濃度値の、生体状態情報に含まれている性別および／または年齢が考慮された基準値からの低下度合いに応じた重み付け値を設定する設定手段である。
【０１１２】
乗算部１０２ｅは、設定部１０２ｄで、特定部１０２ｃで特定された一部または全てのアミノ酸（例えば必須アミノ酸、分岐鎖アミノ酸または非必須アミノ酸など）に対して設定された重み付け値を、アミノ酸含有データに含まれている、特定部１０２ｃで特定された一部または全てのアミノ酸の含有値に乗算する乗算手段である。
ここで、必須アミノ酸に（共通して）適用される第一の係数と、非必須アミノ酸に（共通して）適用される、第一の係数とは異なる第二の係数を、予め設定してもよく、特定部１０２ｃで濃度値が基準値に対して低下している必須アミノ酸が特定された場合には、乗算部１０２ｅは、特定された一部または全ての必須アミノ酸に対して設定した重み付け値と、特定された一部または全ての必須アミノ酸の含有値と、第一の係数を乗算してもよく、特定部１０２ｃで濃度値が基準値に対して低下している非必須アミノ酸が特定された場合には、乗算部１０２ｅは、特定された一部または全ての非必須アミノ酸に対して設定した重み付け値と、特定された一部または全ての非必須アミノ酸の含有値と、第二の係数を乗算してもよい。
また、分岐鎖アミノ酸に（共通して）適用される第三の係数と、必須アミノ酸に該当するが分岐鎖アミノ酸に該当しないアミノ酸に個別に適用される、互いに異なり且つ第三の係数とも異なる複数の第四の係数を、予め設定してもよく、特定部１０２ｃで分岐鎖アミノ酸が特定された場合には、乗算部１０２ｅは、特定された一部または全ての分岐鎖アミノ酸に対して設定した重み付け値と、特定された一部または全ての分岐鎖アミノ酸の含有値と、第三の係数を乗算してもよく、特定部１０２ｃで必須アミノ酸に該当するが分岐鎖アミノ酸に該当しないアミノ酸が特定された場合には、乗算部１０２ｅは、特定された一部または全てのアミノ酸に対して設定した重み付け値と、特定された一部または全てのアミノ酸の含有値と、特定された一部または全てのアミノ酸に適用される第四の係数を乗算してもよい。
また、非必須アミノ酸に（共通して）適用される、第三の係数および第四の係数とは異なる第五の係数を予め設定してもよく、特定部１０２ｃで非必須アミノ酸が特定された場合には、乗算部１０２ｅは、一部または全ての非必須アミノ酸に対して設定した重み付け値と、特定された一部または全ての非必須アミノ酸の含有値と、第五の係数を乗算してもよい。また、上述した係数は、それぞれ、アミノ酸の消化吸収率および／またはアミノ酸の代謝率などが考慮されたものでもよい。また、消化吸収率および代謝率は、個体の生態状態（例えば年齢または性別など）などに応じて変えてもよい。
乗算部１０２ｅは、設定部１０２ｄで、所定の状態の改善に推奨される一部または全てのアミノ酸に対して設定された重み付け値を、アミノ酸含有データに含まれている、所定の状態の改善に推奨される一部または全てのアミノ酸の含有値に乗算する乗算手段である。なお、乗算部１０２ｅは、重み付け値と含有値を乗算する際、所定の状態の改善に推奨されるアミノ酸に適した係数（例えば、上述した５つの係数から、当該アミノ酸の種類を考慮して選ばれたもの）をさらに乗算してもよい。
【０１１３】
加算部１０２ｆは、乗算部１０２ｅで重み付け値が乗算された後のアミノ酸含有データに含まれているアミノ酸の含有値の総和を、各々の食材のアミノ酸含有データ毎に算出する加算手段である。
【０１１４】
選択部１０２ｇは、判別部１０２ｂで個体が所定の状態であると判別された場合には、所定の状態の改善に推奨される、少なくともアミノ酸に基づいて（を考慮して）、食材リストファイル１０６ｃから食材を選択して結果ファイル１０６ｅに格納する選択手段である。選択部１０２ｇは、食材リストファイル１０６ｃから各々の食材の分類毎に、食材リストから食材を選択してもよい。選択部１０２ｇは、各々の食材の分類毎にまたは食材の分類を問わず、加算部１０２ｆで算出された総和の降順に、１つまたは複数の食材を食材リストから選択してもよい。選択部１０２ｇは、特定部１０２ｃで、低下しているアミノ酸が特定された場合には、各々の食材の分類毎にまたは食材の分類を問わず、加算部１０２ｆで算出された総和の降順に、１つまたは複数の食材を食材リストから選択してもよい。選択部１０２ｇは、少なくとも判別部１０２ｂでの判別結果と特定部１０２ｃでの特定結果を考慮して、最適な食材を選択してもよい。
【０１１５】
検索部１０２ｈは、選択部１０２ｇで選択された食材が用いられている献立を、献立リストファイル１０６ｄから検索して結果ファイル１０６ｅに格納する検索手段である。
【０１１６】
作成部１０２ｉは、判別部１０２ｂでの判別結果および特定部１０２ｃでの特定結果に応じたアドバイス情報を作成する作成手段である。
【０１１７】
出力部１０２ｊは、結果ファイル１０６ｅに格納されている、食材の選択結果、献立の検索結果およびアドバイス情報を含む結果情報を、出力装置１１４を介して出力する出力実行手段である。
【０１１８】
クライアント端末２００は、当該端末を統括的に制御するＣＰＵ等の制御部２０２と、ルータ等の通信装置および専用線等の有線または無線の通信回線を介して当該装置をネットワーク３００に通信可能に接続する通信インターフェース部２０４と、各種のデータベース、テーブルまたはファイルなどを格納する記憶部２０６と、入力装置２１２および出力装置２１４に接続する入出力インターフェース部２０８と、を備え、これら各部は任意の通信路を介して通信可能に接続されている。
【０１１９】
記憶部２０６は、ストレージ手段である。記憶部２０６として、例えば、ＲＡＭ・ＲＯＭ等のメモリ装置、ハードディスクのような固定ディスク装置、フレキシブルディスク、または光ディスク等を用いることができる。記憶部２０６には、ＯＳ（Ｏｐｅｒａｔｉｎｇ  Ｓｙｓｔｅｍ）と協働してＣＰＵに命令を与えて各種処理を行うためのコンピュータプログラムが記録されている。記憶部２０６には、生体状態情報ファイル２０６ａおよび結果ファイル２０６ｂが格納される。
【０１２０】
生体状態情報ファイル２０６ａには、食材選択装置１００へ送信する予め取得した生体状態情報が格納される。結果ファイル２０６ｂには、食材選択装置１００から送信された結果情報が格納される。
【０１２１】
通信インターフェース部２０４は、クライアント端末２００とネットワーク３００（またはルータ等の通信装置）との間における通信を媒介する。すなわち、通信インターフェース部２０４は、他の端末と通信回線を介してデータを通信する機能を有する。
【０１２２】
入出力インターフェース部２０８は、入力装置２１２および出力装置２１４に接続する。出力装置２１４には、モニタ（家庭用テレビを含む）の他、スピーカまたはプリンタなどを用いることができる。入力装置２１２には、キーボード、マウスまたはマイクの他、マウスと協働してポインティングデバイス機能を実現するモニタを用いることができる。
【０１２３】
制御部２０２は、ＯＳ（Ｏｐｅｒａｔｉｎｇ  Ｓｙｓｔｅｍ）等の制御プログラム・各種の処理手順等を規定したプログラム・所要データなどを格納するための内部メモリを有し、これらのプログラムに基づいて種々の情報処理を実行する。制御部２０２は、通信部２０２ａおよび出力部２０２ｂを備える。制御部２０２は、食材選択装置１００の判別部１０２ｂと同様の機能を有していてもよい。
【０１２４】
通信部２０２ａは、本発明の生体状態情報送信手段および選択結果受信手段を含むものである。通信部２０２ａは、生体状態情報ファイル２０６ａに格納されている生体状態情報を食材選択装置１００へ送信したり、食材選択装置１００から送信された結果情報を受信して結果ファイル２０６ｂに格納したりする通信手段である。
【０１２５】
出力部２０２ｂは、結果ファイル２０６ｂに格納されている結果情報を、出力装置２１４を介して出力する出力実行手段である。
【０１２６】
［３．具体例］
図１０は、第２実施形態の具体例を示すフローチャートである。なお、この説明では、生体状態情報に、アミノ酸濃度データと、性別および／または年齢とが含まれているものとする。また、この説明では、所定の状態が、メタボリックシンドロームの状態であるものとする。また、この説明では、メタボリックシンドロームの改善に推奨されるアミノ酸が、ケト原性アミノ酸であるものとする。また、この説明では、食材リストに、複数の食材についてのアミノ酸含有データおよび分類データが含まれているものとする。また、この説明では、各々のアミノ酸含有データに含まれる各々の含有値は、数式「（アミノ酸含有データＸに含まれるアミノ酸ｘの含有値）÷（食材リストに含まれる全てのアミノ酸含有データに含まれるアミノ酸ｘの含有値の平均値）×１００」で得られた値（単位は％）に置き換えられているものとする。
【０１２７】
まず、通信部２０２ａは、生体状態情報ファイル２０６ａに格納されている予め取得した生体状態情報を、食材選択装置１００へ送信する（ステップＳＢ１）。
【０１２８】
そして、通信部１０２ａは、ステップＳＢ１で送信された生体状態情報を受信して生体状態情報ファイル１０６ａに格納する（ステップＳＢ２）。
【０１２９】
そして、判別部１０２ｂは、（ｉ）アミノ酸濃度データ、および判別基準情報ファイル１０６ｂに格納されている、メタボリックシンドロームの判別に有用なアミノ酸を変数として含む判別式に基づいて、当該判別式の値を算出し、（ｉｉ）算出した値と、判別基準情報ファイル１０６ｂに格納されている閾値とを比較して、個体がメタボリックシンドロームの状態であるかと、個体についてのメタボリックシンドロームの状態の度合いを判別する（ステップＳＢ３）。なお、ステップＳＢ３では、本出願人による国際出願である国際公開第２００８／０１５９２９号、国際公開第２００９／００１８６２号、国際公開第２００９／０５４３５０号または国際公開第２０１０／０９５６８２号に開示されている判別式を用いてもよい。
【０１３０】
一方で、特定部１０２ｃは、アミノ酸濃度データに含まれる必須アミノ酸のうち、濃度値が、生体状態情報に含まれる性別および／または年齢が考慮された基準値に対して低下しているものを特定する（ステップＳＢ４）。
【０１３１】
そして、ステップＳＢ３でメタボリックシンドロームであると判別された、またはステップＳＢ４で低下している必須アミノ酸が特定された場合（ステップＳＢ５：Ｙｅｓ）には、後述するステップＳＢ６が実行され、ステップＳＢ３でメタボリックシンドロームであると判別されず、且つステップＳＢ４で低下している必須アミノ酸が特定されなかった場合（ステップＳＢ５：Ｎｏ）には、後述するステップＳＢ１１が実行される。
【０１３２】
ステップＳＢ３でメタボリックシンドロームであると判別された場合には、設定部１０２ｄは、ケト原性アミノ酸に対して、ステップＳＢ３で判別されたメタボリックシンドロームの度合いに応じた重み付け値を、メタボリックシンドロームの度合い毎の重み付け値を含む重み付け値リストを参照して設定する（ステップＳＢ６）。重み付け値リストは、例えば、メタボリックシンドロームの度合いが“軽度”と判別された場合に対してケト原性アミノ酸に該当する全てのアミノ酸に均一に重み付け値“１０”が割り当てられ、当該度合いが“中程度”と判別された場合に対して当該全てのアミノ酸に均一に重み付け値“２０”が割り当てられ、そして、当該度合いが“重度”と判別された場合に対して当該全てのアミノ酸に均一に重み付け値“３０”が割り当てられたものでもよい。なお、疾患の状態の度合いに応じて設定される重み付け値は、アミノ酸の消化吸収率および／またはアミノ酸の代謝率が考慮されたものでもよい。また、消化吸収率および代謝率は、個体の生態状態（例えば年齢または性別など）などに応じて変えてもよい。
【０１３３】
また、ステップＳＢ４で低下している必須アミノ酸が特定された場合には、設定部１０２ｄは、特定された必須アミノ酸に対して、濃度値の基準値からの低下度合いに応じた重み付け値を設定する（ステップＳＢ６）。例えば、低下している必須アミノ酸としてアミノ酸Ａ、ＢおよびＣが特定され、アミノ酸Ａ、ＢおよびＣの低下率が順に３０％、１５％および５％であった場合には、アミノ酸Ａ、ＢおよびＣに対して順に“３０”、“１５”および“５”の重み付け値を設定してもよい。なお、特定されたアミノ酸Ａ、ＢおよびＣ以外の必須アミノ酸に対して“０”の重み付け値を設定してもよい。また、仮にアミノ酸Ｃを考慮するのが適切でない場合があれば、アミノ酸Ｃに対しても“０”の重み付け値を設定してもよい。
【０１３４】
そして、ステップＳＢ３でメタボリックシンドロームであると判別された場合には、乗算部１０２ｅは、ステップＳＢ６で、ケト原性アミノ酸に対して設定された重み付け値を、アミノ酸含有データに含まれている、ケト原性アミノ酸に該当する全てのアミノ酸の含有値に乗算する（ステップＳＢ７）。
【０１３５】
また、ステップＳＢ４で低下している必須アミノ酸が特定された場合には、乗算部１０２ｅは、ステップＳＢ６で、特定された必須アミノ酸に対して設定された重み付け値を、アミノ酸含有データに含まれている、特定された必須アミノ酸の含有値に乗算する（ステップＳＢ７）。
【０１３６】
そして、加算部１０２ｆは、ステップＳＢ７で重み付け値が乗算された後のアミノ酸含有データに含まれているアミノ酸の含有値の総和を、各々の食材のアミノ酸含有データ毎に算出する（ステップＳＢ８）。
【０１３７】
そして、選択部１０２ｇは、ステップＳＢ８で算出された総和の降順に全てのアミノ酸含有データを分類別に並べ替え、上位Ｌ個（例えば上位３個など）の食材を各々の分類毎に選択して結果ファイル１０６ｅに格納する（ステップＳＢ９）。
【０１３８】
また、選択部１０２ｇは、ステップＳＢ８で算出された総和の降順に全てのアミノ酸含有データを、分類を問わずに並べ替え、上位Ｍ個（例えば上位１０個など）の食材を選択して結果ファイル１０６ｅに格納する（ステップＳＢ９）。
【０１３９】
そして、検索部１０２ｈは、ステップＳＢ９で選択された食材が用いられている献立を、献立リストから検索して結果ファイル１０６ｅに格納する（ステップＳＢ１０）。例えば、検索部１０２ｈは、ステップＳＢ９で選択された食材が最も多く用いられている献立から順に上位Ｎ個（例えば上位１０個）を、献立リストから検索してもよい。
【０１４０】
そして、作成部１０２ｉは、ステップＳＢ３での判別結果とステップＳＢ４での特定結果に応じたアドバイス情報を作成して結果ファイル１０６ｅに格納する（ステップＳＢ１１）。例えば、ステップＳＡ１でメタボリックシンドロームであると判別された場合には、作成部１０２ｉは、カロリー摂取制限、脂質摂取制限および運動を推奨する内容のアドバイス情報を作成する。また、例えば、ステップＳＡ１でメタボリックシンドロームであると判別されず、且つステップＳＡ２で低下している必須アミノ酸が特定されなかった場合には、作成部１０２ｉは、これまで通りの適正な食事および運動を推奨する内容のアドバイス情報を作成する。
【０１４１】
そして、通信部１０２ａは、結果ファイル１０６ｅに格納されている食材の選択結果、献立の検索結果およびアドバイス情報を含む結果情報を、クライアント端末２００へ送信する（ステップＳＢ１２）。
【０１４２】
そして、通信部２０２ａは、ステップＳＢ１２で送信された結果情報を受信して結果ファイル２０６ｂに格納する（ステップＳＢ１３）。
【０１４３】
そして、出力部２０２ｂは、結果ファイル２０６ｂに格納されている結果情報を、出力装置２１４を介して出力する（ステップＳＢ１４）。例えば、出力部２０２ｂは、結果情報を、印刷装置を用いて紙などの物理媒体に印刷したり、電子的な外部の記憶装置または記録媒体に格納したり、モニタに表示したり、スピーカを介して音声で出力したり、電子メールに添付ファイルとして添付したりしてもよい。
【０１４４】
なお、本具体例は、所定の状態がメタボリックシンドロームの状態ではなく、内臓脂肪蓄積、肥満症、高脂血症、高血圧、インスリン抵抗性、糖尿病、耐糖能異常、脂肪肝（例えばアルコール性脂肪肝、非アルコール性脂肪肝または非アルコール性脂肪肝炎など）の状態（メタボリックシンドローム関連の状態）である場合においても、同様に適用可能なものである。ただし、上述したステップＳＢ３で用いられる判別式は、所定の状態として設定された疾患に応じて、当該疾患の判別に適したものに変更することが好ましい。また、本具体例を所定の状態がインスリン抵抗性、糖尿病または耐糖能異常の状態である場合に適用されるときは、所定の状態の改善に推奨されるアミノ酸を、分岐鎖アミノ酸またはＩｌｅとしてもよい。
【０１４５】
また、本説明では、食材選択装置１００の判別部１０２ｂが「判別式の値の算出」および「算出した値に基づく判別」の両方の処理を実行するケースを一例として挙げたが、クライアント端末２００の制御部２０２が判別部１０２ｂと同様の機能を有している場合は、この２つの処理は、食材選択装置１００とクライアント端末２００とで適宜分担して実行してもよい。
例えば、クライアント端末２００は、両方の処理を実行し、判別結果を食材選択装置１００に送信し、食材選択装置１００は、送信された判別結果を利用してもよい。
また、例えば、クライアント端末２００は、「判別式の値の算出」を実行し、算出結果を食材選択装置１００に送信し、食材選択装置１００は、送信された算出結果を利用して「算出した値に基づく判別」を実行してもよい。
また、例えば、食材選択装置１００は、「判別式の値の算出」を実行し、算出結果をクライアント端末２００に送信し、クライアント端末２００は、送信された算出結果を利用して「算出した値に基づく判別」を実行し、判別結果を食材選択装置１００に送信し、食材選択装置１００は、送信された判別結果を利用してもよい。
【０１４６】
［他の実施形態］
さて、これまで本発明の実施形態について説明したが、本発明は、上述した実施形態以外にも、特許請求の範囲に記載した技術的思想の範囲内において種々の異なる実施形態にて実施されてよいものである。
【０１４７】
また、実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【０１４８】
このほか、上記文献中や図面中で示した処理手順、制御手順、具体的名称、各処理の登録データや検索条件等のパラメータを含む情報、画面例、データベース構成については、特記する場合を除いて任意に変更することができる。
【０１４９】
また、食材選択装置１００およびクライアント端末２００に関して、図示の各構成要素は機能概念的なものであり、必ずしも物理的に図示の如く構成されていることを要しない。
【０１５０】
例えば、食材選択装置１００およびクライアント端末２００のそれぞれが備える処理機能、特に制御部１０２および制御部２０２にて行われる各処理機能については、その全部または任意の一部を、ＣＰＵ（Ｃｅｎｔｒａｌ  Ｐｒｏｃｅｓｓｉｎｇ  Ｕｎｉｔ）および当該ＣＰＵにて解釈実行されるプログラムにて実現してもよく、また、ワイヤードロジックによるハードウェアとして実現してもよい。尚、プログラムは、情報処理装置に本発明にかかる食物選択方法を実行させるためのプログラム化された命令を含む一時的でないコンピュータ読み取り可能な記録媒体に記録されており、必要に応じて食材選択装置１００およびクライアント端末２００に機械的に読み取られる。すなわち、ＲＯＭまたはＨＤＤなどの記憶部１０６および記憶部２０６などには、ＯＳ（Ｏｐｅｒａｔｉｎｇ  Ｓｙｓｔｅｍ）と協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【０１５１】
また、このコンピュータプログラムは、食材選択装置１００およびクライアント端末２００に対して任意のネットワーク３００を介して接続されたアプリケーションプログラムサーバに記憶されていてもよく、必要に応じてその全部または一部をダウンロードすることも可能である。
【０１５２】
また、本発明にかかる食物選択プログラムを、一時的でないコンピュータ読み取り可能な記録媒体に格納してもよく、また、プログラム製品として構成することもできる。ここで、この「記録媒体」とは、メモリーカード、ＵＳＢメモリ、ＳＤカード、フレキシブルディスク、光磁気ディスク、ＲＯＭ、ＥＰＲＯＭ、ＥＥＰＲＯＭ、ＣＤ−ＲＯＭ、ＭＯ、ＤＶＤ、および、Ｂｌｕ−ｒａｙ  Ｄｉｓｃ等の任意の「可搬用の物理媒体」を含むものとする。
【０１５３】
また、「プログラム」とは、任意の言語または記述方法にて記述されたデータ処理方法であり、ソースコードまたはバイナリコード等の形式を問わない。なお、「プログラム」は必ずしも単一的に構成されるものに限られず、複数のモジュールやライブラリとして分散構成されるものや、ＯＳ（Ｏｐｅｒａｔｉｎｇ  Ｓｙｓｔｅｍ）に代表される別個のプログラムと協働してその機能を達成するものをも含む。なお、実施形態に示した各装置において記録媒体を読み取るための具体的な構成および読み取り手順ならびに読み取り後のインストール手順等については、周知の構成や手順を用いることができる。
【０１５４】
記憶部１０６および記憶部２０６に格納される各種のデータベース等（生体状態情報ファイル１０６ａ、判別基準情報ファイル１０６ｂ、食材リストファイル１０６ｃ、献立リストファイル１０６ｄ、結果ファイル１０６ｅ、生体状態情報ファイル２０６ａおよび結果ファイル２０６ｂなど）は、ＲＡＭ、ＲＯＭ等のメモリ装置、ハードディスク等の固定ディスク装置、フレキシブルディスク、および、光ディスク等のストレージ手段であり、各種処理やウェブサイト提供に用いる各種のプログラム、テーブル、データベース、および、ウェブページ用ファイル等を格納する。
【０１５５】
また、食材選択装置１００およびクライアント端末２００は、既知のパーソナルコンピュータまたはワークステーション等の情報処理装置として構成してもよく、また、任意の周辺装置が接続された当該情報処理装置として構成してもよい。また、食材選択装置１００およびクライアント端末２００は、当該情報処理装置に本発明の食物選択方法を実現させるソフトウェア（プログラムまたはデータ等を含む）を実装することにより実現してもよい。
【０１５６】
更に、装置の分散・統合の具体的形態は図示するものに限られず、その全部または一部を、各種の付加等に応じてまたは機能負荷に応じて、任意の単位で機能的または物理的に分散・統合して構成することができる。すなわち、上述した実施形態を任意に組み合わせて実施してもよく、実施形態を選択的に実施してもよい。
【産業上の利用可能性】
【０１５７】
本発明は、産業上の多くの分野、特に食品、医療、医療機器の製造・販売または介護などの分野で広く実施することができ、特に運動指導または栄養指導などを行う分野において極めて有用である。
【符号の説明】
【０１５８】
１００  食材選択装置
１０２  制御部
１０２ａ  通信部
１０２ｂ  判別部
１０２ｃ  特定部
１０２ｄ  設定部
１０２ｅ  乗算部
１０２ｆ  加算部
１０２ｇ  選択部
１０２ｈ  検索部
１０２ｉ  作成部
１０２ｊ  出力部
１０４  通信インターフェース部
１０６  記憶部
１０６ａ  生体状態情報ファイル
１０６ｂ  判別基準情報ファイル
１０６ｃ  食材リストファイル
１０６ｄ  献立リストファイル
１０６ｅ  結果ファイル
１０８  入出力インターフェース部
１１２  入力装置
１１４  出力装置
２００  クライアント端末（情報通信端末）
２０２  制御部
２０２ａ  通信部
２０２ｂ  出力部
２０４  通信インターフェース部
２０６  記憶部
２０６ａ  生体状態情報ファイル
２０６ｂ  結果ファイル
２０８  入出力インターフェース部
２１２  入力装置
２１４  出力装置
３００  ネットワーク
【図１】
2013085047.tif 000003
【図２】
2013085047.tif 000004
【図３】
2013085047.tif 000005
【図４】
2013085047.tif 000006
【図５】
2013085047.tif 000007
【図６】
2013085047.tif 000008
【図７】
2013085047.tif 000009
【図８】
2013085047.tif 000010
【図９】
2013085047.tif 000011
【図１０】
2013085047.tif 000012
【国際調査報告】
2013085047.tif 000013
2013085047.tif 000014
2013085047.tif 000015
2013085047.tif 000016